(57)【要約】【課題】ビルの外壁の工事において発生するコンクリートガラやモルタルガラ、タイルガラ等の固形廃棄物をゴンドラ内に留めることができ、廃棄物のゴンドラから四方への飛散やゴンドラからの廃棄物の落下を防ぐことができる作業用ゴンドラを提供する。【解決手段】作業用ゴンドラ１０Ａは、その頂底部と両側部とに設置され、ゴンドラ１０Ａのビルの外壁に対向する前部１６から前後方向へ延びていてゴンドラ１０Ａとビルの外壁との間のスペースを塞ぐカバーシート３０を備えている。カバーシート３０は、ゴンドラ１０Ａとビルの外壁との間のスペースの距離に応じて前後方向の長さ寸法を調節可能である。【選択図】図１
2016211185.tif 000002
【特許請求の範囲】
【請求項１】
昇降装置を利用して建造物の外側に上下方向へ昇降可能に配置され、前記建造物に対する各種工事に使用される作業用ゴンドラにおいて、
前記作業用ゴンドラが、その頂部と底部または中央部と両側部とのうちの少なくとも該底部または該中央部と該両側部とに設置され、該ゴンドラの前記建造物に対向する前部から前後方向へ延びていて該ゴンドラと該建造物との間のスペースを塞ぐカバーシートを備え、前記カバーシートが、前記スペースの距離に応じて前後方向の長さ寸法を調節可能であることを特徴とする作業用ゴンドラ。
【請求項２】
前記作業用ゴンドラが、前記前部に設置されたフロントフレームを含み、前記フロントフレームが、前記ゴンドラの頂部に位置して幅方向へ延びる上ロッドと、前記ゴンドラの底部または中央部に位置して幅方向へ延びる下ロッドと、前記ゴンドラの両側部に位置して上下方向へ延びる両側ロッドとのうちの少なくとも下ロッドと両側ロッドとから形成され、前記カバーシートが、前記上下ロッドと前記両側ロッドとのうちの少なくとも下ロッドと両側ロッドとに設置されている請求項１に記載の作業用ゴンドラ。
【請求項３】
クッション性を有して前記建造物の外面に当接する所定面積かつ所定厚みの当接部材が、前記カバーシートの該建造物に対向する前端部に取り付けられている請求項１または請求項２に記載の作業用ゴンドラ。
【請求項４】
前記作業用ゴンドラが、前記カバーシートを前後方向へ伸縮させるスライドレールを含み、前記スライドレールが、前記上下ロッドの両側部と前記両側ロッドの上下部とのうちの少なくとも該両側ロッドの上下部から前後方向へ延びている請求項２または請求項３に記載の作業用ゴンドラ。
【請求項５】
前記スライドレールが、前記ロッドに固定された固定レールと、前記カバーシートに設置されて前記固定レールから前後方向へスライド可能な少なくとも１本の移動レールとから形成され、前記移動レールには、それを前後方向へスライドさせる把持可能な取っ手が取り付けられている請求項４に記載の作業用ゴンドラ。
【請求項６】
前記スライドレールには、前記移動レールを前後方向前方へ付勢するコイルバネが設置されている請求項４または請求項５に記載の作業用ゴンドラ。
【請求項７】
前記作業用ゴンドラが、前後方向へ伸縮可能であって前記カバーシートの前端部の前記建造物への当接状態を維持する伸縮棒を含み、前記伸縮棒が、前記ゴンドラに設置された基端部と、前記カバーシートの前端部を押圧する先端部とを有する請求項３ないし請求項６いずれかに記載の作業用ゴンドラ。
【請求項８】
前記伸縮棒が、前記上ロッドと前記両側ロッドとが交差する第１角部と、前記下ロッドと前記両側ロッドとが交差する第２角部と、前記両側ロッドの上下方向中央部とのうちの少なくとも１つから前後方向へ延びている請求項７に記載の作業用ゴンドラ。
【請求項９】
前記カバーシートが、前後方向へ蛇腹折りされて前記スペースにおいて前後方向へ伸縮可能な蛇腹カバーである請求項１ないし請求項８いずれかに記載の作業用ゴンドラ。
【請求項１０】
前記蛇腹カバーが、前記スペースに位置して前後方向へ並ぶ複数の蛇腹枠と、それら蛇腹枠に取り付けられて前後方向へ延びる蛇腹シートとから形成され、前記蛇腹シートが、前記フロントフレームに固定された固定部と、前記固定部から前後方向前方へ延びていてそれら蛇腹枠の間において前後方向へ蛇腹折りされた伸縮部とを有し、前記当接部材が、前記蛇腹シートの伸縮部の前記建造物に対向する前端部分に取り付けられている請求項９に記載の作業用ゴンドラ。
【請求項１１】
前記作業用ゴンドラが、前記両側ロッドの間を幅方向へ延びるフロント手摺と、前記フロント手摺に設置されて前記スペースを塞ぐ落下防止プレートとを含み、前記落下防止プレートが、前記フロント手摺から前記スペースに向かって前後方向へ伸縮可能かつ該スペースの距離に応じて前後方向の長さ寸法を調節可能である請求項２ないし請求項１０いずれかに記載の作業用ゴンドラ。
【請求項１２】
前記落下防止プレートが、前記フロント手摺に旋回可能に設置された旋回プレートと、前記旋回プレートから前後方向へスライド可能な少なくとも１枚のスライドプレートとから形成され、前記落下防止プレートの使用時では、前記旋回プレートと前記スライドプレートとが前記フロント手摺から前記建造物に向かうにつれて上り勾配に傾斜する請求項１１に記載の作業用ゴンドラ。
【請求項１３】
クッション性を有して前記建造物の外面に当接する所定面積の当接部材が、前記落下防止プレートの該建造物に対向する前端部に取り付けられている請求項１２に記載の作業用ゴンドラ。
【請求項１４】
前記作業用ゴンドラが、その頂部に開口する頂面開口とその両側部に開口する両側面開口と前記ゴンドラの建造物に非対向の後部に開口する後面開口とを包被するネットカバーを含む請求項１ないし請求項１３いずれかに記載の作業用ゴンドラ。
【発明の詳細な説明】
【技術分野】
【０００１】
本発明は、建造物の外側に上下方向へ昇降可能に配置され、建造物に対する各種工事に使用される作業用ゴンドラに関する。
【背景技術】
【０００２】
高所作業における安全な足場を確保するため、昇降装置（吊り具や吊りワイヤーロープ、巻き上げ機）によって建造物の屋上から上下方向へ昇降可能に吊り下げられる作業用ゴンドラが使用される。作業用ゴンドラでは、それに作業者が乗り、作業者がゴンドラの前部（前面開口）から建造物とゴンドラとの間のスペースに手を伸ばし、作業者が建造物に対して各種の工事を行う。各種の工事には、超高層ビル工事、一般ビル工事、吹付塗装工事、外壁補修工事、外壁クリーニング工事、サッシ工事、ガラス工事、看板工事、コンクリートプレハブ工事、橋梁工事、ダム工事、高速道路工事等がある。
【０００３】
作業用ゴンドラの一例として、コンクリート建造物の外壁面にスリットを形成し、コンクリート建造物の耐震性を補強する耐震補強工事に使用される作業用ゴンドラ装置が開示されている（特許文献１参照）。特許文献１に開示の作業用ゴンドラ装置は、ベース板とベース板の上に組み立てられた躯体とを備え、ベース板または躯体のゴンドラ装置全体の重心に対してほぼ均等な位置に三つのウインチが固定されているとともに、ベース板または躯体にクレーンと制御ボックスとが固定され、クレーンが耐震補強用のスリットを形成するカッターを移動可能に保持し、三つのウインチを同期して動作させてゴンドラ装置を昇降させるウインチ制御部とカッターを制御するカッター制御部とが制御ボックスに設定されている。この作業用ゴンドラ装置のカッター制御部によって制御されるカッターは、ベース板の上に搭載された集塵機に接続されたカッターカバーでカッター刃を覆うことで粉塵を飛散させることなく建築物の壁面を切削する乾式のカッターである。
【先行技術文献】
【特許文献】
【０００４】
【特許文献１】特開２０１４−２０１９５９号公報
【発明の概要】
【発明が解決しようとする課題】
【０００５】
前記特許文献１に開示の作業用ゴンドラ装置は、コンクリート建造物の壁面を切削する場合に発生する粉塵を集塵機に捕集させることで、工事中における粉塵の飛散を防いでいる。しかし、カッターによる建築物の壁面の切削時に、大きさが粉塵のそれよりも大きい所定体積のコンクリートガラやモルタルガラ、タイルガラ等の固形廃棄物が発生する場合があり、そのような固形廃棄物を集塵機に捕集させることはできない。この作業用ゴンドラ装置では、集塵機を利用してコンクリートガラやモルタルガラ、タイルガラ等の固形廃棄物を捕集することができないから、ベース板や躯体の内側にそれらの廃棄物を留めることができず、廃棄物が作業用ゴンドラ装置から四方へ飛散する。この作業用ゴンドラ装置では、コンクリートガラやモルタルガラ、タイルガラ等の固形廃棄物が作業用ゴンドラ装置から四方に飛散しつつ落下するから、作業用ゴンドラ装置とは別に、工事対象のコンクリート建造物周辺の安全性を確保するための防護ネットや仕切り板等を作業用ゴンドラ装置の周辺に設置するとともに、警備員を配備しなければならず、安全対策にコストと手間とがかかり、建造物に対する各種工事を迅速かつ廉価に行うことができない。
【０００６】
本発明の目的は、建造物の各種工事において発生するコンクリートガラやモルタルガラ、タイルガラ等の固形廃棄物をゴンドラ内に留めることができ、廃棄物のゴンドラから四方への飛散やゴンドラからの廃棄物の落下を防ぐことができる作業用ゴンドラを提供することにある。本発明の他の目的は、固形廃棄物の飛散や落下がなく、安全性を確保することができ、建造物に対する各種工事を迅速かつ廉価に行うことができる作業用ゴンドラを提供することにある。
【課題を解決するための手段】
【０００７】
前記課題を解決するための本発明の前提は、昇降装置を利用して建造物の外側に上下方向へ昇降可能に配置され、建造物に対する各種工事に使用される作業用ゴンドラである。
【０００８】
前記前提における本発明の特徴は、作業用ゴンドラが、その頂部と底部または中央部と両側部とのうちの少なくとも底部または中央部と両側部とに設置され、ゴンドラの建造物に対向する前部から前後方向へ延びていてゴンドラと建造物との間のスペースを塞ぐカバーシートを備え、カバーシートが、スペースの距離に応じて前後方向の長さ寸法を調節可能であることにある。
【０００９】
本発明の一例としては、作業用ゴンドラが、前部に設置されたフロントフレームを含み、フロントフレームが、ゴンドラの頂部に位置して幅方向へ延びる上ロッドと、ゴンドラの底部または中央部に位置して幅方向へ延びる下ロッドと、ゴンドラの両側部に位置して上下方向へ延びる両側ロッドとのうちの少なくとも下ロッドと両側ロッドとから形成され、カバーシートが、上下ロッドと両側ロッドとのうちの少なくとも下ロッドと両側ロッドとに設置されている。
【００１０】
本発明の他の一例としては、クッション性を有して建造物の外面に当接する所定面積かつ所定厚みの当接部材が、カバーシートの建造物に対向する前端部に取り付けられている。
【００１１】
本発明の他の一例としては、作業用ゴンドラが、カバーシートを前後方向へ伸縮させるスライドレールを含み、スライドレールが、前記上下ロッドの両側部と両側ロッドの上下部とのうちの少なくとも両側ロッドの上下部から前後方向へ延びている。
【００１２】
本発明の他の一例としては、スライドレールが、ロッドに固定された固定レールと、カバーシートに設置されて固定レールから前後方向へスライド可能な少なくとも１本の移動レールとから形成され、移動レールには、それを前後方向へスライドさせる把持可能な取っ手が取り付けられている。
【００１３】
本発明の他の一例として、スライドレールには、移動レールを前後方向前方へ付勢するコイルバネが設置されている。
【００１４】
本発明の他の一例としては、作業用ゴンドラが、前後方向へ伸縮可能であってカバーシートの前端部の建造物への当接状態を維持する伸縮棒を含み、伸縮棒が、ゴンドラに設置された基端部と、カバーシートの前端部を押圧する先端部とを有する。
【００１５】
本発明の他の一例としては、伸縮棒が、上ロッドと前記両側ロッドとが交差する第１角部と、下ロッドと両側ロッドとが交差する第２角部と、両側ロッドの上下方向中央部とのうちの少なくとも１つから前後方向へ延びている。
【００１６】
本発明の他の一例としては、カバーシートが、前後方向へ蛇腹折りされてスペースにおいて前後方向へ伸縮可能な蛇腹カバーである。
【００１７】
本発明の他の一例としては、蛇腹カバーが、スペースに位置して前後方向へ並ぶ複数の蛇腹枠と、それら蛇腹枠に取り付けられて前後方向へ延びる蛇腹シートとから形成され、蛇腹シートが、フロントフレームに固定された固定部と、固定部から前後方向前方へ延びていてそれら蛇腹枠の間において前後方向へ蛇腹折りされた伸縮部とを有し、当接部材が、蛇腹シートの伸縮部の建造物に対向する前端部分に取り付けられている。
【００１８】
本発明の他の一例としては、作業用ゴンドラが、両側ロッドの間を幅方向へ延びるフロント手摺と、フロント手摺に設置されてスペースを塞ぐ落下防止プレートとを含み、落下防止プレートが、フロント手摺からスペースに向かって前後方向へ伸縮可能かつスペースの距離に応じて前後方向の長さ寸法を調節可能である。
【００１９】
本発明の他の一例としては、落下防止プレートが、フロント手摺に旋回可能に設置された旋回プレートと、旋回プレートから前後方向へスライド可能な少なくとも１枚のスライドプレートとから形成され、落下防止プレートの使用時では、旋回プレートとスライドプレートとがフロント手摺から建造物に向かうにつれて上り勾配に傾斜する。
【００２０】
本発明の他の一例としては、クッション性を有して前記建造物の外面に当接する所定面積の当接部材が、落下防止プレートの建造物に対向する前端部に取り付けられている。
【００２１】
本発明の他の一例としては、作業用ゴンドラが、その頂部に開口する頂面開口とその両側部に開口する両側面開口とゴンドラの建造物に非対向の後部に開口する後面開口とを包被するネットカバーを含む。
【発明の効果】
【００２２】
本発明にかかる作業用ゴンドラによれば、その頂部と底部または中央部と両側部とのうちの少なくとも底部または中央部と両側部とに設置されてゴンドラの建造物に対向する前部から前後方向へ延びるカバーシートを備え、カバーシートによってゴンドラの少なくとも底部または中央部および両側部と建造物との間のスペースを塞ぐことができるから、建造物に対する各種工事中に発生したコンクリートガラやモルタルガラ、タイルガラ等の固形廃棄物をカバーシートで捕集することで廃棄物をゴンドラ内に留めることができ、カバーシートによって廃棄物のゴンドラから四方への飛散やゴンドラからの廃棄物の落下を防ぐことができる。作業用ゴンドラは、各種工事中に発生した廃棄物のゴンドラから四方への飛散やゴンドラからの廃棄物の落下をカバーシートによって防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じてカバーシートの前後方向の長さ寸法を調節することができるから、カバーシートの前後方向の長さ寸法をスペースの距離に合わせることができ、カバーシートによってスペースを確実に塞ぐことができるとともに、廃棄物のゴンドラから四方への飛散やゴンドラからの廃棄物の落下を確実に防ぐことができる。
【００２３】
前部に設置されたフロントフレームを含み、フロントフレームがゴンドラの頂部に位置する上ロッドとゴンドラの底部または中央部に位置する下ロッドとゴンドラの両側部に位置する両側ロッドとのうちの少なくとも下ロッドと両側ロッドとから形成され、カバーシートが上下ロッドと両側ロッドとのうちの少なくとも下ロッドと両側ロッドとに設置されている作業用ゴンドラは、上下ロッドと両側ロッドとのうちの少なくとも下ロッドおよび両側ロッドから延びるカバーシートによってゴンドラの少なくとも底部または中央部および両側部と建造物との間のスペースを塞ぐことができるから、建造物に対する各種工事中に発生したコンクリートガラやモルタルガラ、タイルガラ等の固形廃棄物をカバーシートで捕集することで廃棄物をゴンドラ内に留めることができ、カバーシートによって廃棄物のゴンドラから四方への飛散やゴンドラからの廃棄物の落下を確実に防ぐことができる。
【００２４】
クッション性を有して建造物の外面に当接する所定面積かつ所定厚みの当接部材がカバーシートの建造物に対向する前端部に取り付けられている作業用ゴンドラは、カバーシートの前端部に取り付けられたクッション性を有する所定面積かつ所定厚みの当接部材が建造物の外面に当接密着することで、建造物とカバーシートの前端部との間に隙間が生じることはなく、カバーシートによってゴンドラと建造物との間のスペースを隙間なく塞ぐことができ、コンクリートガラやモルタルガラ、タイルガラ等の固形廃棄物のゴンドラから四方への飛散やゴンドラからの廃棄物の落下を確実に防ぐことができる。
【００２５】
カバーシートを前後方向へ伸縮させるスライドレールを含み、スライドレールが上下ロッドの両側部と両側ロッドの上下部とのうちの少なくとも両側ロッドの上下部から前後方向へ延びている作業用ゴンドラは、上下ロッドの両側部と両側ロッドの上下部とのうちの少なくとも両側ロッドの上下部から延びるスライドレールを前後方向前方へスライドさせることでカバーシートが前後方向前方へ伸長し、スライドレールを前後方向後方へスライドさせることでカバーシートが前後方向後方へ縮むから、スライドレールを前後方向へスライドさせることで、カバーシートを前後方向前方へ容易に伸長させることができるとともに前後方向後方に容易に縮めることができ、スライドレールとカバーシートとを利用してゴンドラと建造物との間のスペースを確実に塞ぐことができる。作業用ゴンドラは、スライドレールを利用してカバーシートの前後方向の長さ寸法を調節することができるから、カバーシートの前後方向の長さ寸法をスペースの距離に容易に合わせることができ、カバーシートによってスペースを確実に塞ぐことができるとともに、コンクリートガラやモルタルガラ、タイルガラ等の固形廃棄物のゴンドラから四方への飛散やゴンドラからの廃棄物の落下を確実に防ぐことができる。
【００２６】
スライドレールがロッドに固定された固定レールとカバーシートに設置されて固定レールから前後方向へスライド可能な少なくとも１本の移動レールとから形成され、移動レールにそれを前後方向へスライドさせる把持可能な取っ手が取り付けられている作業用ゴンドラは、把持した取っ手を前後方向へ動かすことで、移動レールを前後方向へスライドさせることができるから、カバーシートを前後方向前方へ容易に伸長させることができるとともに前後方向後方へ容易に縮めることができ、それらレールおよび取っ手とカバーシートとを利用してゴンドラと建造物との間のスペースを確実に塞ぐことができる。作業用ゴンドラは、それらレールと取っ手とを利用してカバーシートの前後方向の長さ寸法を調節することができるから、カバーシートの前後方向の長さ寸法をスペースの距離に容易に合わせることができ、カバーシートによってスペースを確実に塞ぐことができるとともに、コンクリートガラやモルタルガラ、タイルガラ等の固形廃棄物のゴンドラから四方への飛散やゴンドラからの廃棄物の落下を確実に防ぐことができる。
【００２７】
移動レールを前後方向前方へ付勢するコイルバネがスライドレールに設置されている作業用ゴンドラは、コイルバネによって移動レールが前後方向前方へ付勢され、それによってカバーシートが前後方向前方へ押圧されて建造物に当接密着するから、建造物とカバーシートの前端部との間に隙間が生じることはなく、カバーシートによってゴンドラと建造物との間のスペースを隙間なく塞ぐことができ、コンクリートガラやモルタルガラ、タイルガラ等の固形廃棄物のゴンドラから四方への飛散やゴンドラからの廃棄物の落下を確実に防ぐことができる。
【００２８】
前後方向へ伸縮可能であってカバーシートの前端部の建造物への当接状態を維持する伸縮棒を含み、伸縮棒がゴンドラに設置された基端部とカバーシートの前端部を押圧する先端部とを有する作業用ゴンドラは、伸縮棒の先端部がカバーシートの前端部を押圧することで、カバーシートの前端部の建造物への当接密着状態が維持され、伸縮棒によってカバーシートの前端部が建造物に当接密着するから、建造物とカバーシートの前端部との間に隙間が生じることはなく、カバーシートによってゴンドラと建造物との間のスペースを隙間なく塞ぐことができ、コンクリートガラやモルタルガラ、タイルガラ等の固形廃棄物のゴンドラから四方への飛散やゴンドラからの廃棄物の落下を確実に防ぐことができる。
【００２９】
伸縮棒が上ロッドと両側ロッドとが交差する第１角部、下ロッドと両側ロッドとが交差する第２角部、両側ロッドの上下方向中央部のうちの少なくとも１つから前後方向へ延びている作業用ゴンドラは、それら部の少なくとも1つから前後方向へ延びる伸縮棒によってカバーシートの前端部の建造物への当接密着状態が維持され、伸縮棒によってカバーシートの前端部が建造物に当接密着するから、建造物とカバーシートの前端部との間に隙間が生じることはなく、カバーシートによってゴンドラと建造物との間のスペースを確実に塞ぐことができ、コンクリートガラやモルタルガラ、タイルガラ等の固形廃棄物のゴンドラから四方への飛散やゴンドラからの廃棄物の落下を確実に防ぐことができる。
【００３０】
カバーシートが前後方向へ蛇腹折りに折り畳まれてスペースにおいて前後方向へ伸縮可能な蛇腹カバーである作業用ゴンドラは、スペースにおいて前後方向へ伸縮する蛇腹カバーによってゴンドラの少なくとも底部および両側部と建造物との間のスペースを塞ぐことができるから、建造物に対する各種工事中に発生したコンクリートガラやモルタルガラ、タイルガラ等の固形廃棄物を蛇腹カバーで捕集することで廃棄物をゴンドラ内に留めることができ、蛇腹カバーによって廃棄物のゴンドラから四方への飛散やゴンドラからの廃棄物の落下を防ぐことができる。作業用ゴンドラは、各種工事中に発生した廃棄物のゴンドラから四方への飛散やゴンドラからの廃棄物の落下を蛇腹カバーによって防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じて蛇腹カバーの前後方向の長さ寸法を調節することができるから、蛇腹カバーの前後方向の長さ寸法をスペースの距離に合わせることができ、蛇腹カバーによってスペースを隙間なく塞ぐことができるとともに、廃棄物のゴンドラから四方への飛散やゴンドラからの廃棄物の落下を確実に防ぐことができる。
【００３１】
蛇腹カバーがスペースにおいて前後方向へ並ぶ複数の蛇腹枠とそれら蛇腹枠に取り付けられた蛇腹シートとから形成され、蛇腹シートがフロントフレームに固定された固定部とそれら蛇腹枠の間において前後方向へ蛇腹折りに折り畳まれた伸縮部とを有し、当接部材が蛇腹シートの伸縮部の建造物に対向する前端部分に取り付けられている作業用ゴンドラは、蛇腹シートの蛇腹折りされた伸縮部がスペースにおいて前後方向へ伸縮し、蛇腹シートの伸縮部によってゴンドラの少なくとも底部および両側部と建造物との間のスペースを塞ぐことができるから、建造物に対する各種工事中に発生したコンクリートガラやモルタルガラ、タイルガラ等の固形廃棄物を蛇腹シートで捕集することで廃棄物をゴンドラ内に留めることができ、蛇腹シートによって廃棄物のゴンドラから四方への飛散やゴンドラからの廃棄物の落下を防ぐことができる。作業用ゴンドラは、各種工事中に発生した廃棄物のゴンドラから四方への飛散やゴンドラからの廃棄物の落下を蛇腹シートによって防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じて蛇腹シートの伸縮部の前後方向の長さ寸法を調節することができるから、蛇腹シートの伸縮部の前後方向の長さ寸法をスペースの距離に合わせることができ、蛇腹シートの伸縮部によってスペースを隙間なく塞ぐことができるとともに、廃棄物のゴンドラから四方への飛散やゴンドラからの廃棄物の落下を確実に防ぐことができる。
【００３２】
両側ロッドの間を幅方向へ延びるフロント手摺とフロント手摺に設置されてスペースを塞ぐ落下防止プレートとを含み、落下防止プレートがフロント手摺からスペースに向かって前後方向へ伸縮可能かつスペースの距離に応じて前後方向の長さ寸法を調節可能である作業用ゴンドラは、フロント手摺と建造物との間のスペースが落下防止プレートによって塞がれるから、建造物に対する各種工事中に発生したコンクリートガラやモルタルガラ、タイルガラ等の固形廃棄物を落下防止プレートからゴンドラ内に収容することができ、落下防止プレートによって廃棄物のゴンドラから四方への飛散やゴンドラからの廃棄物の落下を防ぐことができる。作業用ゴンドラは、落下防止プレートによって廃棄物のゴンドラから四方への飛散やゴンドラからの廃棄物の落下を防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じて落下防止プレートの前後方向の長さ寸法を調節することができるから、落下防止プレートの前後方向の長さ寸法をスペースの距離に合わせることができ、フロント手摺と建造物との間に隙間が発生することはなく、落下防止プレートを利用して廃棄物をゴンドラ内に確実に収容することができる。
【００３３】
落下防止プレートがフロント手摺に旋回可能に設置された旋回プレートと旋回プレートから前後方向へスライド可能な少なくとも１枚のスライドプレートとから形成され、落下防止プレートの使用時において、旋回プレートとスライドプレートとがフロント手摺から建造物に向かうにつれて上り勾配に傾斜する作業用ゴンドラは、旋回プレートに対してスライドプレートを前後方向へスライドさせることで、落下防止プレートを前後方向前方へ容易に伸長させることができるとともに前後方向後方に容易に縮めることができ、旋回プレートとスライドプレートとを利用してゴンドラのフロント手摺と建造物との間のスペースを隙間なく塞ぐことができるとともに、落下防止プレートを利用してコンクリートガラやモルタルガラ、タイルガラ等の固形廃棄物を落下防止プレートからゴンドラ内に確実に収容することができる。作業用ゴンドラは、旋回プレートとスライドプレートとを利用して落下防止プレートの前後方向の長さ寸法を調節することができるから、落下防止プレートの前後方向の長さ寸法をフロント手摺と建造物との間のスペースの距離に容易に合わせることができ、落下防止プレートを利用して廃棄物をゴンドラ内に確実に収容することができる。作業用ゴンドラは、落下防止プレートの使用時に旋回プレートとスライドプレートとがフロント手摺から建造物に向かって上り勾配に傾斜することで、建造物に対する各種工事中に発生したコンクリートガラやモルタルガラ、タイルガラ等の固形廃棄物が落下防止プレートの建造物の側からフロント手摺の側に向かって落下するから、廃棄物を落下防止プレートからゴンドラ内に確実に収容することができる。
【００３４】
クッション性を有して建造物の外面に当接する所定面積の当接部材が落下防止プレートの建造物に対向する前端部に取り付けられている作業用ゴンドラは、落下防止プレートの前端部に取り付けられたクッション性を有する所定面積の当接部材が建造物の外面に当接密着することで、建造物と落下防止プレートの前端部との間に隙間が生じることはなく、落下防止プレートによってゴンドラと建造物との間のスペースを隙間なく塞ぐことができ、建造物に対する各種工事中に発生したコンクリートガラやモルタルガラ、タイルガラ等の固形廃棄物を落下防止プレートからゴンドラ内に確実に収容することができるとともに、廃棄物のゴンドラから四方への飛散やゴンドラからの廃棄物の落下を確実に防ぐことができる。
【００３５】
頂部に開口する頂面開口と両側部に開口する両側面開口と後部に開口する後面開口とを包被するネットカバーを含む作業用ゴンドラは、ゴンドラの頂面開口と両側面開口と後面開口とがネットカバーによって包被されるから、建造物に対する各種工事中に発生したコンクリートガラやモルタルガラ、タイルガラ等の固形廃棄物がゴンドラの頂面開口や両側面開口、後面開口から飛散することはなく、ネットカバーによって廃棄物のゴンドラから四方への飛散やゴンドラからの廃棄物の落下を防ぐことができ、工事中における建造物周辺の安全を十分に確保することができる。
【図面の簡単な説明】
【００３６】
【図１】作業用ゴンドラ１０Ａの一例を示す斜視図。
【図２】作業用ゴンドラ１０Ａの正面図。
【図３】作業用ゴンドラ１０Ａの背面図。
【図４】落下防止プレートを伸長させる前の作業用ゴンドラ１０Ａの部分拡大斜視図。
【図５】落下防止プレートを伸長させた後の作業用ゴンドラ１０Ａの部分拡大斜視図。
【図６】伸長させる前のカバーシートおよびスライドレールの部分拡大側面図。
【図７】伸長させた後のカバーシートおよびスライドレールの部分拡大側面図。
【図８】カバーシートや落下防止プレートを伸長させる前の作業用ゴンドラ１０Ａの側面図。
【図９】カバーシートや落下防止プレートを伸長させた後の作業用ゴンドラ１０Ａの側面図。
【図１０】他の一例として示す作業用ゴンドラ１０Ｂの斜視図。
【図１１】伸長させる前の蛇腹カバーおよびスライドレールの部分拡大側面図。
【図１２】伸長させた後の蛇腹カバーおよびスライドレールの部分拡大側面図。
【図１３】他の一例として示す作業用ゴンドラの斜視図。
【図１４】伸長させる前のスライドレール、蛇腹カバー、伸縮棒の部分拡大側面図。
【図１５】伸長させた後のスライドレール、蛇腹カバー、伸縮棒の部分拡大側面図。
【図１６】一例として示す第１および第２支持支柱と真空グリッパーとの側面図。
【図１７】図１６の第１および第２支持支柱と真空グリッパーとの正面図。
【図１８】他の一例として示す第１および第２支持支柱と真空グリッパーとの側面図。
【図１９】図１８の第１および第２支持支柱と真空グリッパーとの正面図。
【図２０】ビルの外壁に連結される前の作業用ゴンドラの側面図。
【図２１】ビルの外壁に連結された後の作業用ゴンドラの側面図。
【発明を実施するための形態】
【００３７】
作業用ゴンドラ１０Ａの一例を示す斜視図である図１等の添付の図面を参照し、本発明にかかる作業用ゴンドラの詳細を説明すると、以下のとおりである。なお、図２は、作業用ゴンドラ１０Ａの正面図であり、図３は、作業用ゴンドラ１０Ａの背面図である。図４は、伸長させる前のカバーシート３０およびスライドレール３１の部分拡大側面図であり、図５は、伸長させた後のカバーシート３０およびスライドレール３１の部分拡大側面図である。図６は、伸長させる前の落下防止プレート４０の部分拡大斜視図であり、図７は、伸長させた後の落下防止プレート４０の部分拡大斜視図である。
【００３８】
図１では、上下方向を矢印Ａで示し、幅方向の矢印Ｂで示すとともに、前後方向を矢印Ｃで示す。図４〜図７では、前後方向前方を矢印Ｃ１で示し、前後方向後方を矢印Ｃ２で示す。図１では、ネットカバー３９の図示を一部省略している。図２では、落下防止プレート４０を伸長させた状態で示し、図３では、落下防止プレート４０を垂下させた状態で示す。作業用ゴンドラ１０Ａ（ゴンドラ１０Ｂ，１０Ｃを含む）では、建造物としてビル１１を例として説明する。なお、建造物には、ビル１１の他に、橋梁やダム、高速道路等がある。
【００３９】
作業用ゴンドラ１０Ａは、ビル１１（建造物）に対する各種工事を行う場合において、高所作業における安全な足場を確保するために使用される。作業用ゴンドラ１０Ａは、ビル１１の外壁１２の外側に配置され、昇降装置によってビル１１の屋上から上下方向へ昇降可能に吊り下げられる。作業用ゴンドラ１０Ａでは、それに作業者が乗り、作業者がゴンドラ１０Ａの前部１６（前面開口３５）からビル１１の外壁１２とゴンドラ１０Ａとの間のスペース１３に手を伸ばし、ビル１１に対して各種の工事を行う。建造物に対する各種の工事には、超高層ビル工事、一般ビル工事、吹付塗装工事、外壁補修工事、クリーニング工事、サッシ工事、ガラス工事、看板工事、コンクリートプレハブ工事、橋梁工事、ダム工事、高速道路工事等がある。
【００４０】
昇降装置の一例としては、ビル１１の屋上に着脱可能に設置された吊り具（図示せず）と、吊り具から地上に向かって延びる２本の吊りワイヤーロープ１４と、それら吊りワイヤーロープ１４を巻き上げるエンドレスワインダー方式の２つの巻上機１５とから形成されている。吊り具には、自在フック式やＵ型フック式、傾斜突りょう型、バランスアーム型、レール・台車型等の現在知られているあらゆる吊り具を使用することができる。巻上機１５には、ビル１１の屋上に設置したドラムを利用して吊りワイヤーロープを巻き上げるドラム方式を使用することもできる。
【００４１】
作業用ゴンドラ１０Ａは、幅方向へ長い略長方形の外観形状を有し、ビル１１の外壁１２に対向する前部１６と、前部１６の反対側に位置してビル１１の外壁１２に非対向の後部１７と、ビル１１の屋上側に位置する頂部１８と、地上側に位置する底部１９と、両側部２０とを有する。ゴンドラ１０Ａは、底部１９に設置されて幅方向へ長い所定面積の床材２１と、床材２１を支持する底フレーム６４（床材支持板）と、前部１６に設置されたフロントフレーム２２（前フレーム）と、後部１７に設置されたリアフレーム２３（後フレーム）と、床材２１の上方（頂部１８と底部１９との間）に位置して幅方向へ延びるフロント手摺２４（前手摺）（角柱パイプ）およびリア手摺２５（後手摺）（角柱パイプ）と、それらフレーム２２，２３，６４やフロント手摺２４、リア手摺２５に連結されて上下方向や幅方向、前後方向へ延びる複数本の補強支柱２６（角柱パイプ）とから作られている。ゴンドラ１０Ａには、床材２１や底フレーム６４、フロントフレーム２２、リアフレーム２３、フロント手摺２４、リア手摺２５、補強支柱２６に囲繞された作業空間が画成されている。
【００４２】
床材２１は、木板や鋼材、鉄、アルミ、真鍮、合金等の金属板から作られ、または、木板の外周面を金属で被覆した複合材から作られている。床材２１は、底フレーム６４に載置固定されている。底フレーム６４やフロントフレーム２２、リアフレーム２３、フロント手摺２４、リア手摺２５、補強支柱２６は、鋼材や鉄、アルミ、真鍮、合金等の金属から作られている。底フレーム６４やフロントフレーム２２、リアフレーム２３、フロント手摺２４、リア手摺２５、補強支柱２６は、溶接によって連結されている。なお、作業用ゴンドラ１０Ａの形状は図示のそれに限定されず、あらゆる形状のゴンドラを使用することができる。
【００４３】
フロントフレーム２２は、ゴンドラ１０Ａの頂部１８に位置して幅方向へ延びる上フロントロッド２７（上ロッド）（角柱パイプ）と、ゴンドラ１０Ａの底部１９に位置して幅方向へ延びる下フロントロッド２８（下ロッド）（角柱パイプ）と、ゴンドラ１０Ａの両側部２０に位置して上下フロントロッド２７，２８の間を上下方向へ延びる両側フロントロッド２９（両側ロッド）（角柱パイプ）とから形成されている。フロントフレーム２２（上下フロントロッド２７，２８および両側フロントロッド２９）には、カバーシート３０が取り付けられている。両側フロントロッド２９の上部および下部には、前後方向へ延びるスライドレール３１が設置されている。なお、上下フロントロッド２７，２８の両側部にスライドレール３１が設置されていてもよい。
【００４４】
リアフレーム２３は、フロントフレーム２２と略同形同大であり、ゴンドラ１０Ａの頂部１８に位置して幅方向へ延びる上リアロッド３２（上ロッド）（角柱パイプ）と、ゴンドラ１０Ａの底部１９に位置して幅方向へ延びる下リアロッド３３（下ロッド）（角柱パイプ）と、ゴンドラ１０Ａの両側部２０に位置して上下リアロッド３２，３３の間を上下方向へ延びる両側リアロッド３４（両側ロッド）（角柱パイプ）とから形成されている。フロントフレーム２２やリアフレーム２３の上下方向の高さ寸法は、ゴンドラ１０Ａ（床材）に乗った作業者の身長よりも高く、１７５ｃｍ〜２００ｃｍの範囲にあることが好ましい。
【００４５】
作業用ゴンドラ１０Ａの前部１６には、フロントフレーム２２に囲繞された所定面積の前面開口３５が画成され、後部１７には、リアフレーム２３に囲繞された所定面積の後面開口３６が画成されている。頂部１８には、上フロントロッド２７と上リアロッド３２と補強支柱２６とに囲繞された所定面積の頂面開口３７が画成され、両側部２０には、両側フロントロッド２９と両側リアロッド３４と補強支柱２６とに囲繞された所定面積の両側開口３８が画成されている。後面開口３６全域と頂面開口３７全域と両側開口３８全域とにはネットカバー３９が設置され、それら開口３６〜３８がネットカバー３９によって包被されている。ネットカバー３９には、合成樹脂から作られた網ネットが使用されている。
【００４６】
フロント手摺２４には、幅方向へ延びる落下防止プレート４０が設置されている。底フレーム６４の各角部の下方には、キャスター４１が取り付けられている。ゴンドラ１０Ａの両側部２０における床材２１には、吊りワイヤーロープ１４がつながる巻上機１５が設置固定され、ゴンドラ１０Ａの一方の側部２０における床材２１には、ゴンドラ用制御盤４２が載置固定されている。ゴンドラ用制御盤４２にはビル１１の屋上から垂下する電源ケーブル４３が接続され、制御盤４２から電源ケーブル４３（図示せず）によって各巻上機１５に電力が供給される。補強支柱２６には、ケーブルを介してゴンドラ用制御盤４２につながるペンダントスイッチ４４が掛けられている。
【００４７】
カバーシート３０は、所定の強度を有する無色透明の合成樹脂シートから作られているが、所定の強度を有する有色透明または有色の合成樹脂シートやスクリーンメッシュ、ステンレスメッシュ、布地等から作られていてもよい。カバーシート３０は、フロントフレーム２２（前面開口３５）とビル１１（建造物）の外壁１２との間のスペース１３に位置してフロントフレーム２２から前後方向へ延びている。カバーシート３０は、フロントフレーム２２全域（前面開口３５全域）を囲繞し、ゴンドラ１０Ａの頂部１８、底部１９、両側部２０に設置されている。カバーシート３０は、ゴンドラ１０Ａがビル１１の外壁１２の外側に吊り下げられたときに、フロントフレーム２２（前面開口）とビル１１の外壁１２との間のスペース１３に位置してフロントフレーム２２から前後方向へ延びる。カバーシート３０は、上下フロントロッド２７，２８と両側フロントロッド２９とに固定された固定部４５と、固定部４５から前後方向前方へ延びる伸縮部４６とを有する。伸縮部４６は、それを前後方向前方へ伸長しない非伸長状態と、それを前後方向前方へ伸長した伸長状態とを有する。
【００４８】
両側フロントロッド２９の上部および下部に位置するカバーシート３０の伸縮部４６には、所定の間隔（等間隔）で前後方向へ並ぶ複数の金属製のランナーリング４７が取り付けられている。カバーシート３０の伸縮部４６のビル１１の外壁１２に対向する前端部分４８（前端部）には、金属製または合成樹脂製の当接フレーム４９と、クッション性（柔軟性）を有する所定面積かつ所定厚みの当接部材５０が取り付けられている。当接部材５０は、フロントフレーム２２全域（前面開口３５全域）を囲繞し、ビル１１の外壁１２に面接触する。当接部材５０には、軟質ポリウレタンフォームやポリスチレンフォーム、ポリエチレンフォーム、ポリプロピレンフォーム、ＥＶＡ架橋発泡体等の発泡プラスチック、または、シリコーン樹脂を使用することができる。
【００４９】
それらスライドレール３１は、固定レール５１と、固定レール５１から前後方向へスライド可能な移動レール５２とから形成されている。固定レール５１は、両側フロントロッド２９の上部および下部と両側リアロッド３４の上部および下部とに固定金具（図示せず）によって設置固定されている。移動レール５２は、カバーシート３０の伸縮部４６に取り付けられたランナーリング４７に挿通され、その先端部がカバーシート３０の前端部分４８に固定金具（図示せず）によって固定されている。移動レール５２の先端部には、移動レール５２を前後方向へスライドさせる把持可能な取っ手５３が取り付けられている。
【００５０】
それらスライドレール３１は、移動レール５２を固定レール５１の所定の位置で固定し、移動レール５２のスライド（伸縮）を不能にするスライドストッパー（スライド固定機構）（図示せず）を備えている。スライドレール３１では、取っ手５３を把持して移動レール５２を前後方向前方へスライドさせることで、図５に示すように、カバーシート３０の伸縮部４６を前後方向前方へ伸長させることができ、カバーシート３０の前後方向の長さ寸法を長くすることができる。逆に、取っ手５３を把持して移動レール５２を前後方向後方へスライドさせることで、図４に示すように、カバーシート３０の伸縮部４６を前後方向後方へ縮めることができ、カバーシート３０の前後方向の長さ寸法を短くすることができる。
【００５１】
移動レール５２を前後方向前方へスライドさせた後、スライドストッパー（スライド固定機構）によって移動レール５２を固定レール５１に固定することで、カバーシート３０の伸縮部４６の前後方向前方へ伸長した状態を維持することができ、移動レール５２を前後方向後方へスライドさせた後、スライドストッパー（スライド固定機構）によって移動レール５２を固定レール５１に固定することで、カバーシート３０の伸縮部４６の前後方向後方へ縮んだ状態を維持することができる。移動レール５２を利用してカバーシート３０を前後方向へ伸縮させることで、カバーシート３０の長さ寸法をスペース１３の距離に応じて調節することができる。
【００５２】
落下防止プレート４０は、旋回プレート５４と、スライドプレート５５とから形成されている。旋回プレート５４は、その基端部がフロント手摺２４に取り付けられた取付リング（旋回機構）（図示せず）または蝶番（旋回機構）（図示せず）に設置されている。旋回プレート５４は、取付リングまたは蝶番によってその基端部（フロント手摺２４）を中心に上下方向へ旋回可能である。
【００５３】
スライドプレート５５は、図７に示すように、前後方向へ延びるスライドレール５６によって旋回プレート５４に連結されている。スライドプレート５５は、スライドレール５６を介して前後方向へスライド可能であり、旋回プレート５４から前後方向へ伸縮可能である。スライドプレート５５のビル１１の外壁１２に対向する前端部には、クッション性（柔軟性）を有する所定面積かつ所定厚みの当接部材５７が取り付けられている。当接部材５７は、カバーシート３０の伸縮部４６の前端部分４８に取り付けられたそれと同一であり、ビル１１の外壁１２に面接触する。
【００５４】
落下防止プレート４０（旋回プレート５４およびスライドプレート５５）は、それが未使用の場合、フロント手摺２４に対して下方へ延びた垂下状態になっている。落下防止プレート４０（旋回プレート５４およびスライドプレート５５）では、それを垂下状態から上方へ１８０°の範囲まで旋回させることができる。落下防止プレート４０は、旋回プレート５４の旋回角度を所定の角度で固定し、プレート４０の旋回を不能にする旋回ストッパー（旋回（傾斜）固定機構）（図示せず）を備えている。落下防止プレート４０では、旋回プレート５４を旋回させることでプレート４０の旋回角度（傾斜角度）を調節することができるとともに、旋回プレート５４を上方へ旋回させ、落下防止プレート４０を上り勾配に傾斜させた後、旋回ストッパー（旋回（傾斜）固定機構）によって旋回プレート５４を固定することで、プレート４０の所定角度の上り勾配の傾斜状態を維持することができる。
【００５５】
落下防止プレート４０は、スライドプレート５５を旋回プレート５４の所定の位置で固定し、スライドプレート５５のスライド（伸縮）を不能にするスライドストッパー（スライド固定機構）（図示せず）を備えている。落下防止プレート４０では、スライドレール５６を利用してスライドプレート５５を前後方向前方へスライドさせることで、図７に示すように、落下防止プレート４０（スライドプレート５５）を前後方向前方へ伸長させることができ、プレート４０の前後方向の長さ寸法を長くすることができる。逆に、スライドレール５６を利用してスライドプレート５５を前後方向後方へスライドさせることで、図６に示すように、落下防止プレート４０（スライドプレート５５）を前後方向後方へ縮めることができ、プレート４０の前後方向の長さ寸法を短くすることができる。
【００５６】
スライドプレート５５を前後方向前方へスライドさせた後、スライドストッパー（スライド固定機構）によってスライドプレート５５を旋回プレート５４に固定することで、落下防止プレート４０（スライドプレート５５）が前後方向前方へ伸長した状態を維持することができ、スライドプレート５５を前後方向後方へスライドさせた後、スライドストッパー（スライド固定機構）によってスライドプレート５５を旋回プレート５４に固定することで、プレート４０（スライドプレート５５）が前後方向後方へ縮んだ状態を維持することができる。スライドプレート５５を利用して落下防止プレート４０を前後方向へ伸縮させることで、プレート４０の長さ寸法をスペース１３の距離に応じて調節することができる。
【００５７】
図８は、カバーシート３０や落下防止プレート４０を伸長させる前の作業用ゴンドラ１０Ａの側面図であり、図９は、カバーシート３０や落下防止プレート４０を伸長させた後の作業用ゴンドラ１０Ａの側面図である。図８，９では、前後方向前方を矢印Ｃ１で示し、前後方向後方を矢印Ｃ２で示す。作業用ゴンドラ１０Ａを使用してビル１１の外壁１２に対する各種工事を行う手順の一例は、以下のとおりである。なお、図８に示すように、ゴンドラ１０Ａが昇降装置（吊り具、吊りワイヤーロープ１４、巻上機１５）によってビル１１の屋上から吊り下げられ、作業員（図示せず）が工事の準備をするものとする。
【００５８】
地上に下降したゴンドラ１０Ａに作業員が乗り込み、ペンダントスイッチ４４の上昇ボタンを押す（上昇ＯＮ）と、巻上機１５が起動し、ゴンドラ１０Ａが地上からビル１１の屋上に向かって次第に上昇する。作業用ゴンドラ１０Ａをビル１１の外壁１２の工事箇所まで上昇させた後、ペンダントスイッチ４４の停止ボタンを押し（上昇ＯＦＦ）、ゴンドラ１０Ａを停止させる。次に、作業者は落下防止プレート４０の旋回プレート５４を把持してプレート４０を垂下状態から上方へ旋回させ、プレート４０を上り勾配の所定の角度（垂下状態から上り傾斜角度１８０°の範囲）に傾斜させた後、旋回ストッパー（旋回（傾斜）固定機構）によって旋回プレート５４の旋回を不能にし（固定し）、プレート４０の上り勾配の傾斜状態を維持する。
【００５９】
落下防止プレート４０を所定角度の上り勾配に傾斜させた後、スライドレール５６によってスライドプレート５５をゴンドラ１０Ａからビル１１の外壁１２に向かって前後方向前方へスライドさせ、プレート４０を前後方向前方へ伸長させる。スライドプレート５５の前端部に取り付けられた当接部材５７がビル１１の外壁１２に当接するまでスライドプレート５５を前後方向前方へスライドさせ、当接部材５７がビル１１の外壁１２に当接した後、スライドストッパー（スライド固定機構）によってスライドプレート５５を旋回プレート５４に固定する。スライドプレート５５の前端部に取り付けられた当接部材５７がビル１１の外壁１２に面接触し、ゴンドラ１０Ａのフロントフレーム２２とビル１１の外壁１２との間のスペース１３が落下防止プレート４０によって塞がれる。落下防止プレート４０では、当接部材５７が外壁１２に面接触するから、プレート４０と外壁１２との間に隙間が生じることはない。
【００６０】
次に、作業者は取っ手５３を把持して移動レール５２を前後方向前方へスライドさせ、カバーシート３０の伸縮部４６を前後方向前方へ伸長させる。カバーシート３０の伸縮部４６の前端部分４８に取り付けられた当接部材５０がビル１１の外壁１２に当接するまでカバーシート３０の伸縮部４６を前後方向前方へ伸長させ、当接部材５０が外壁１２に当接した後、スライドストッパー（スライド固定機構）によって移動レール５２を固定レール５１に固定する。カバーシート３０の伸縮部４６の前端部分４８に取り付けられた当接部材５０がビル１１の外壁１２に面接触し、ゴンドラ１０Ａのフロントフレーム２２とビル１１の外壁１２との間のスペース１３がカバーシート３０の伸縮部４６によって囲まれ、スペース１３がカバーシート３０の伸縮部４６によって塞がれる。カバーシート３０では、当接部材５０がビル１１の外壁１２に面接触するから、カバーシート３０と外壁１２との間に隙間が生じることはない。
【００６１】
図９に示すように、落下防止プレート４０の前端部（当接部材５７）をビル１１の外壁１２に当接させるとともに、カバーシート３０の伸縮部４６の前端部分４８（当接部材５０）を外壁１２に当接させた状態で、作業者がゴンドラ１０Ａの前部１６（前面開口３５）から外壁１２とゴンドラ１０Ａとの間のスペース１３に手を伸ばし、作業者が各種の電動工具や手動工具等を使用して外壁１２に対する各種工事を行う。なお、各種工事にともなう作業は、落下防止プレート４０よりも上のスペース１３で行われる。
【００６２】
たとえば、痛んだ外壁１２を補修する外壁補修工事を行う場合、痛んだ外壁１２をはつる（剥離する）が、外壁１２をはつると、コンクリートガラやモルタルガラ、タイルガラ等の多数の固形廃棄物が発生する。工事中に発生したそれら固形廃棄物がゴンドラ１０Ａから四方に飛散したり、固形廃棄物がゴンドラ１０Ａから落下すると、工事における安全性を確保することができない。
【００６３】
しかし、このゴンドラ１０Ａは、固形廃棄物が落下防止プレート４０の上に落下し、廃棄物が上り勾配に傾斜したプレート４０を伝ってゴンドラ１０Ａ内（床材２１の上）に落下するから、廃棄物がゴンドラ１０Ａ内に収容される。また、廃棄物が落下防止プレート４０からスペース１３に向かって飛散または落下したとしても、フロントフレーム２２に囲繞されたスペース１３がカバーシート３０に囲まれ、そのスペース１３がカバーシート３０によって塞がれているから、プレート４０から飛散または落下した廃棄物がカバーシート３０（下フロントロッド２８に取り付けられたカバーシート３０の伸縮部４６）に捕集される。
【００６４】
ビル１１の外壁１２の工事箇所における工事が完了した後、作業者は、スライドストッパー（スライド固定機構）を解除して固定レール５１に対する移動レール５２の固定を解除し、取っ手５３を把持して移動レール５２を前後方向後方へスライドさせ、カバーシート３０の伸縮部４６を前後方向後方へ縮める。カバーシート３０の伸縮部４６を前後方向後方へ縮めると、下フロントロッド２８に取り付けられたカバーシート３０の伸縮部４６が地上に向かって垂下し、その部分の伸縮部４６が廃棄物収容袋を形成し、カバーシート３０の伸縮部４６によって形成された廃棄物収容袋に固形廃棄物が収容される。なお、工事が完了した後、カバーシート３０の伸縮部４６を前後方向後方へ縮める前に、カバーシート３０に捕集された廃棄物をゴンドラ１０Ａの床材２１に回収してもよい。
【００６５】
カバーシート３０の伸縮部４６を前後方向後方へ縮めた後、作業者は、スライドストッパーによって移動レール５２を固定レール５１に固定し、伸縮部４６を縮めた状態を維持する。次に、スライドストッパー（スライド固定機構）を解除して旋回プレート５４に対するスライドプレート５５の固定を解除し、スライドプレート５５を前後方向後方へスライドさせ、落下防止プレート４０を前後方向後方へ縮める。落下防止プレート４０を前後方向後方へ縮めた後、スライドストッパーによってスライドプレート５５を旋回プレート５４に固定し、プレート４０を縮めた状態を維持する。次に、旋回ストッパー（旋回（傾斜）固定機構）を解除し、落下防止プレート４０を上り勾配から下方へ旋回させて垂下状態にする。作業者は、ペンダントスイッチ４４の下降ボタンを押し（下降ＯＮ）、ゴンドラ１０Ａを地上に降ろした後、カバーシート３０によって形成された廃棄物収容袋に収容された固形廃棄物やゴンドラ１０Ａ内（床材２１）に収容した固形廃棄物を廃棄処分する。廃棄物を廃棄処分した後、ペンダントスイッチ４４の上昇ボタンを押してゴンドラ１０Ａを次の工事箇所まで上昇させ、その工事箇所において作業を行う。
【００６６】
作業用ゴンドラ１０Ａは、その頂底部１８，１９（フロントフレーム２２の上下フロントロッド２７，２８）と両側部２０（フロントフレーム２２の両側フロントロッド２９）とから前後方向へ延びるカバーシート３０がゴンドラ１０Ａの頂底部１８，１９と両側部２０とを取り囲み、前後方向へ伸縮するカバーシート３０の伸縮部４６によってゴンドラ１０Ａの頂底部１８，１９および両側部２０（フロントフレーム２２）とビル１１（建造物）の外壁１２（外面）との間のスペース１３を塞ぐことができるから、ビル１１の外壁１２に対する工事中に発生したコンクリートガラやモルタルガラ、タイルガラ等の固形廃棄物をカバーシート３０で捕集することで廃棄物をゴンドラ１０Ａ内に留めることができ、カバーシート３０によって廃棄物のゴンドラ１０Ａから四方への飛散やゴンドラ１０Ａからの廃棄物の落下を防ぐことができる。なお、カバーシート３０の伸縮部４６を前後方向後方へ縮めると、下フロントロッド２８に取り付けられたカバーシート３０の伸縮部４６が地上に向かって垂下し、その部分の伸縮部４６が廃棄物収容袋を形成するから、カバーシート３０に捕集された固形廃棄物を伸縮部４６によって形成された廃棄物収容袋に収容することができ、廃棄物をカバーシート３０から床材２１に回収する手間や時間を省くことができる。
【００６７】
作業用ゴンドラ１０Ａは、フロント手摺２４とビル１１の外壁１２との間のスペース１３を落下防止プレート４０によって塞ぐことができるから、外壁１２に対する工事中に発生した固形廃棄物をプレート４０からゴンドラ１０Ａ内（床材２１の上）に収容することができ、プレート４０によって廃棄物のゴンドラ１０Ａから四方への飛散やゴンドラ１０Ａからの廃棄物の落下を防ぐことができる。ゴンドラ１０Ａは、ビル１１の外壁１２に対する工事中に発生した固形廃棄物のゴンドラ１０Ａから四方への飛散やゴンドラ１０Ａからの廃棄物の落下をカバーシート３０や落下防止プレート４０によって防ぐことができるから、工事中におけるビル１１周辺の安全性を確保することができ、ビル１１周辺に防護ネットや仕切り板等の設置や警備員の配備等の各種の安全対策を施す必要はなく、安全対策にかかるコストや手間を省くことができ、ビル１１の外壁１２に対する各種工事を迅速かつ廉価に行うことができる。
【００６８】
図１０は、他の一例として示す作業用ゴンドラ１０Ｂの斜視図であり、図１１は、伸長させる前の蛇腹カバー５８およびスライドレール３１の部分拡大側面図である。図１２は、伸長させた後の蛇腹カバー５８およびスライドレール３１の部分拡大側面図である。図１０では、上下方向を矢印Ａで示し、幅方向の矢印Ｂで示すとともに、前後方向を矢印Ｃで示す。図１１，１２では、前後方向前方を矢印Ｃ１で示し、前後方向後方を矢印Ｃ２で示す。図１０では、ネットカバー３９の図示を一部省略している。
【００６９】
この作業用ゴンドラ１０Ｂが図１のそれと異なるところはフロントフレーム２２（上下フロントロッド２７，２８および両側フロントロッド２９）にカバーシートとして蛇腹カバー５８が取り付けられている点にあり、その他の構成は図１の作業用ゴンドラ１０Ａのそれらと同一であるから、図１と同一の符号を付すとともに、図１の作業用ゴンドラ１０Ａの説明を援用することで、作業用ゴンドラ１０Ｂのその他の構成の詳細な説明は省略する。
【００７０】
作業用ゴンドラ１０Ｂは、図１のそれと同様に、ビル１１（建造物）に対する各種工事を行う場合において、高所作業における安全な足場を確保するために使用される。ゴンドラ１０Ｂは、ビル１１の外壁１２の外側に配置され、昇降装置（吊り具、吊りワイヤーロープ１４、巻上機１５）によってビル１１の屋上から上下方向へ昇降可能に吊り下げられる。ゴンドラ１０Ｂは、前部１６および後部１７と、頂部１８および底部１９と、両側部２０とを有し、底部１９に設置された床材２１と、床材２１を支持する底フレーム６４と、前部１６に設置されたフロントフレーム２２（前フレーム）と、後部１７に設置されたリアフレーム２３（後フレーム）と、床材２１の上方に位置して幅方向へ延びるフロント手摺２４（前手摺）およびリア手摺２５（後手摺）と、それらフレームやフロント手摺２４、リア手摺２５に連結された複数本の補強支柱２６とから作られている。
【００７１】
作業用ゴンドラ１０Ｂには、床材２１や底フレーム６４、フロントフレーム２２、リアフレーム２３、フロント手摺２４、リア手摺２５、補強支柱２６に囲繞された作業空間が画成されている。床材２１や底フレーム６４、フロントフレーム２２、リアフレーム２３、フロント手摺２４、リア手摺２５、補強支柱２６は、図１のゴンドラ１０Ａのそれらと同一である。
【００７２】
作業用ゴンドラ１０Ｂの後面開口３６全域と頂面開口３７全域と両側開口３８全域とにはネットカバー３９が設置され、それら開口３６〜３８がネットカバー３９によって包被されている。両側フロントロッド２９の上部および下部には、前後方向へ延びるスライドレール３１が設置されている。フロント手摺２４には、幅方向へ延びる落下防止プレート４０が設置されている。スライドプレート５５の前端部には、クッション性（柔軟性）を有する所定面積の当接部材５７が取り付けられている。ネットカバー３９やそれらスライドレール３１、落下防止プレート４０、当接部材５７は、図１のゴンドラ１０Ａのそれらと同一である。
【００７３】
底フレーム６４の各角部の下方には、キャスター４１が取り付けられている。ゴンドラ１０Ｂの両側部２０における床材２１には、吊りワイヤーロープ１４がつながる巻上機１５が設置固定され、ゴンドラ１０Ｂの一方の側部２０における床材２１には、ゴンドラ用制御盤４２が載置固定されている。ゴンドラ用制御盤４２にはビル１１の屋上から垂下する電源ケーブル４３が接続され、制御盤４２から電源ケーブル４３（図示せず）によって各巻上機１５に電力が供給される。リア手摺２５には、ケーブルを介してゴンドラ用制御盤４２につながるペンダントスイッチ４４が設置されている。
【００７４】
蛇腹カバー５８は、フロントフレーム２２全域（前面開口３５全域）を囲繞し、ゴンドラ１０Ｂの頂部１８、底部１９、両側部２０に設置されている。蛇腹カバー５８は、ゴンドラ１０Ｂがビル１１の外壁１２の外側に吊り下げられたときに、フロントフレーム２２（前面開口３５）とビル１１の外壁１２との間のスペース１３に位置してフロントフレーム２２から前後方向へ延びる。蛇腹カバー５８は、スペース１３に位置して前後方向へ並ぶ複数の蛇腹枠５９と、それら蛇腹枠５９に取り付けられて前後方向へ延びる蛇腹シート６０とから形成されている。蛇腹枠５９は、フロントフレーム２２と略同形同大であり、合成樹脂または金属から作られている。蛇腹シート６０は、所定の強度を有する無色透明の合成樹脂シートから作られているが、所定の強度を有する有色透明または有色の合成樹脂シートやスクリーンメッシュ、ステンレスメッシュ、布地等から作られていてもよい。
【００７５】
蛇腹シート６０は、上下フロントロッド２７，２８と両側フロントロッド２９（フロントフレーム２２）とに固定された固定部６１と、固定部６１から前後方向前方へ延びる伸縮部６２とを有する。伸縮部６２は、それら蛇腹枠５９の間において前後方向へ蛇腹折りに折り畳まれ、スペース１３において前後方向へ伸縮可能である。伸縮部６２は、それを前後方向前方へ伸長しない非伸長状態と、それを前後方向前方へ伸長した伸長状態とを有する。
【００７６】
両側フロントロッド２９の上部および下部に位置する蛇腹シート６０の伸縮部６２には、所定の間隔（等間隔）で前後方向へ並ぶ複数の金属製のランナーリング４７が取り付けられている。蛇腹シート６０の伸縮部６２のビル１１の外壁１２に対向する前端部分６３（前端部）には、金属製または合成樹脂製の当接フレーム４９と、クッション性（柔軟性）を有する所定面積かつ所定厚みの当接部材５０が取り付けられている。当接部材５０は、フロントフレーム２２全域（前面開口３５全域）を囲繞し、ビル１１の外壁１２に面接触する。当接部材５０は、図１のゴンドラ１０Ａのそれと同一である。
【００７７】
蛇腹シート６０の伸縮部６２に取り付けられたランナーリング４７にはスライドレール３１の移動レール５２が挿通され、移動レール５２の先端部が蛇腹シート６０の前端部分６３に固定金具（図示せず）によって固定されている。移動レール５２の先端部に取り付けられた取っ手５３を把持して移動レール５２を前後方向前方へスライドさせることで、図１２に示すように、蛇腹シート６０の伸縮部６２を前後方向前方へ伸長させることができ、伸縮部６２の前後方向の長さ寸法を長くすることができる。逆に、取っ手５３を把持して移動レール５２を前後方向後方へスライドさせることで、図１１に示すように、蛇腹シート６０の伸縮部６２を前後方向後方へ縮めることができ、伸縮部６２の前後方向の長さ寸法を短くすることができる。
【００７８】
移動レール５２を前後方向前方へスライドさせた後、スライドストッパー（スライド固定機構）（図示せず）によって移動レール５２を固定レール５１に固定することで、蛇腹シート６０の伸縮部６２の前後方向前方へ伸長した状態を維持することができ、移動レール５２を前後方向後方へスライドさせた後、スライドストッパー（スライド固定機構）によって移動レール５２を固定レール５１に固定することで、蛇腹シート６０の伸縮部６２の前後方向後方へ縮んだ状態を維持することができる。移動レール５２を利用して蛇腹カバー５８を前後方向へ伸縮させることで、蛇腹カバー５８の長さ寸法をスペース１３の距離に応じて調節することができる。
【００７９】
作業用ゴンドラ１０Ｂを使用してビル１１の外壁１２に対する各種工事を行う手順の一例は、ゴンドラ１０Ｂを外壁１２の工事箇所まで上昇させた後、ペンダントスイッチ４４の停止ボタンを押してゴンドラ１０Ｂを停止させ、落下防止プレート４０の旋回プレート５４を把持してプレート４０を旋回させてプレート４０を垂下状態から上り勾配に所定の角度（垂下状態から上り傾斜角度１８０°の範囲）で傾斜させ、旋回ストッパー（旋回（傾斜）固定機構）によって旋回プレート５４の旋回を不能にし、落下防止プレート４０の傾斜状態を維持する。
【００８０】
落下防止プレート４０を所定角度の上り勾配に傾斜させた後、スライドプレート５５をゴンドラ１０Ｂからビル１１の外壁１２に向かって前後方向前方へスライドさせ、プレート４０を前後方向前方へ伸長させ、当接部材５７が外壁１２に当接した後、スライドストッパー（スライド固定機構）によってスライドプレート５５を旋回プレート５４に固定する。スライドプレート５５の前端部に取り付けられた当接部材５７が外壁１２に面接触し、ゴンドラ１０Ｂのフロントフレーム２２と外壁１２との間のスペース１３が落下防止プレート４０によって塞がれる。
【００８１】
次に、取っ手５３を把持して移動レール５２を前後方向前方へスライドさせ、蛇腹シート６０の伸縮部６２を前後方向前方へ伸長させ、当接部材５０がビル１１の外壁１２に当接した後、スライドストッパー（スライド固定機構）によって移動レール５２を固定レール５１に固定する。蛇腹シート６０の伸縮部６２の前端部分６３に取り付けられた当接部材５０が外壁１２に面接触し、ゴンドラ１０Ｂのフロントフレーム２２と外壁１２との間のスペース１３が蛇腹シート６０の伸縮部６２によって囲まれ、スペース１３が蛇腹シート６０の伸縮部６２によって塞がれる。
【００８２】
落下防止プレート４０の前端部（当接部材５７）をビル１１の外壁１２に当接させるとともに、蛇腹シート６０の伸縮部６２の前端部分６３（当接部材５０）を外壁１２に当接させた状態で、作業者がゴンドラ１０Ｂの前部１６（前面開口３５）からビル１１の外壁１２とゴンドラ１０Ｂとの間のスペース１３に手を伸ばし、作業者が各種の電動工具や手動工具等を使用して外壁１２に対する各種工事を行う。
【００８３】
ゴンドラ１０Ｂは、固形廃棄物が落下防止プレート４０の上に落下し、廃棄物が上り勾配に傾斜したプレート４０を伝ってゴンドラ１０Ｂ内（床材２１）に落下するから、廃棄物がゴンドラ１０Ｂ内に収容される。また、廃棄物が落下防止プレート４０からスペース１３に向かって飛散または落下したとしても、フロントフレーム２２の内側のスペース１３が蛇腹カバー５８に囲まれ、そのスペース１３が蛇腹カバー５８によって塞がれているから、落下防止プレート４０から飛散または落下した廃棄物が蛇腹カバー５８（下フロントロッド２８に取り付けられた蛇腹シート６０）に捕集される。
【００８４】
ビル１１の外壁１２の工事箇所における工事が完了した後、スライドストッパーを解除して固定レール５１に対する移動レール５２の固定を解除し、取っ手５３を把持して移動レール５２を前後方向後方へスライドさせ、蛇腹シート６０の伸縮部６２を前後方向後方へ縮める。蛇腹シート６０の伸縮部６２を前後方向後方へ縮めると、下フロントロッド２８に取り付けられた蛇腹シート６０が地上に向かって垂下し、その部分の蛇腹シート６０が廃棄物収容袋を形成し、蛇腹シート６０によって形成された廃棄物収容袋に固形廃棄物が収容される。なお、工事が完了した後、蛇腹シート６０の伸縮部６２を前後方向後方へ縮める前に、蛇腹シート６０に捕集された廃棄物をゴンドラ１０Ｂの床材に回収してもよい。
【００８５】
蛇腹シート６０の伸縮部６２を前後方向後方へ縮めた後、スライドストッパーによって移動レール５２を固定レール５１に固定し、蛇腹シート６０の伸縮部６２を縮めた状態を維持する。次に、スライドストッパーを解除して旋回プレート５４に対するスライドプレート５５の固定を解除し、スライドプレート５５を前後方向後方へスライドさせ、落下防止プレート４０を前後方向後方へ縮める。落下防止プレート４０を前後方向後方へ縮めた後、スライドストッパーによってスライドプレート５５を旋回プレート５４に固定し、プレート４０を縮めた状態を維持する。次に、旋回ストッパー（旋回（傾斜）固定機構）を解除し、落下防止プレート４０を上り勾配から下方へ旋回させて垂下状態にする。ペンダントスイッチ４４の下降ボタンを押し、ゴンドラ１０Ｂを地上に降ろした後、蛇腹カバー５８（蛇腹シート６０）によって形成された廃棄物収容袋に収容された固形廃棄物やゴンドラ１０Ｂ内（床材）に収容した固形廃棄物を廃棄処分する。廃棄物を廃棄処分した後、ペンダントスイッチ４４の上昇ボタンを押してゴンドラ１０Ｂを次の工事箇所まで上昇させ、その工事箇所において作業を行う。
【００８６】
作業用ゴンドラ１０Ｂは、その頂底部１８，１９（フロントフレーム２２の上下フロントロッド２７，２８）と両側部２０（フロントフレーム２２の両側フロントロッド２９）とから前後方向へ延びる蛇腹カバー５８がゴンドラ１０Ｂの頂底部１８，１９と両側部２０とを取り囲み、蛇腹シート６０の蛇腹折りされた前後方向へ伸縮する伸縮部６２によってゴンドラ１０Ｂの頂底部１８，１９および両側部２０とビル１１の外壁１２との間のスペース１３を塞ぐことができるから、外壁１２に対する工事中に発生したコンクリートガラやモルタルガラ、タイルガラ等の固形廃棄物を蛇腹カバー５８（蛇腹シート６０）で捕集することで廃棄物をゴンドラ１０Ｂ内に留めることができ、蛇腹カバー５８によって廃棄物のゴンドラ１０Ｂから四方への飛散やゴンドラ１０Ｂからの廃棄物の落下を防ぐことができる。なお、蛇腹シート６０の伸縮部６２を前後方向後方へ縮めると、下フロントロッド２８に取り付けられた蛇腹シート６０が地上に向かって垂下し、その部分の蛇腹シート６０が廃棄物収容袋を形成するから、蛇腹シート６０に捕集された固形廃棄物を蛇腹シート６０によって形成された廃棄物収容袋に収容することができ、廃棄物を蛇腹シート６０から床材２１に回収する手間や時間を省くことができる。
【００８７】
作業用ゴンドラ１０Ｂは、フロント手摺２４とビル１１の外壁１２との間のスペース１３を落下防止プレート４０によって塞ぐことができるから、外壁１２に対する工事中に発生した固形廃棄物を落下防止プレート４０からゴンドラ１０Ｂ内に収容することができ、プレート４０によって廃棄物のゴンドラ１０Ｂから四方への飛散やゴンドラ１０Ｂからの廃棄物の落下を防ぐことができる。ゴンドラ１０Ｂは、ビル１１の外壁１２に対する工事中に発生した固形廃棄物のゴンドラ１０Ｂから四方への飛散やゴンドラ１０Ｂからの廃棄物の落下を蛇腹カバー５８や落下防止プレート４０によって防ぐことができるから、工事中におけるビル１１周辺の安全性を確保することができ、ビル１１周辺に防護ネットや仕切り板等の設置や警備員の配備等の各種の安全対策を施す必要はなく、安全対策にかかるコストや手間を省くことができ、ビル１１の外壁１２に対する各種工事を迅速かつ廉価に行うことができる。
【００８８】
図１３は、他の一例として示す作業用ゴンドラ１０Ｃの斜視図であり、図１４は、伸長させる前のスライドレール３１、蛇腹カバー５８、伸縮棒８６の部分拡大側面図である。図１５は、伸長させた後のスライドレール３１、蛇腹カバー５８、伸縮棒８６の部分拡大側面図であり、図１６は、一例として示す第１および第２支持支柱６５，６６と真空グリッパー６８との側面図である。図１７は、図１６の第１および第２支持支柱６５，６６と真空グリッパー６８との正面図であり、図１８は、他の一例として示す第１および第２支持支柱６５，６６と真空グリッパー６８との側面図である。図１９は、図１８の第１および第２支持支柱６５，６６と真空グリッパー６８との正面図である。
【００８９】
図１３では、ネットカバー３９の図示を一部省略し、真空ホース９０の図示を省略している。図１６，１７では、真空グリッパー６８の吸着面７７にシーリングフォーム７５が取り付けられ、図１８，１９では、真空グリッパー６８の吸着面７７に複数の真空パッド７６が取り付けられている。図１３では、上下方向を矢印Ａで示し、幅方向の矢印Ｂで示すとともに、前後方向を矢印Ｃで示す。図１４，図１５，図１６，図１８では、前後方向前方を矢印Ｃ１で示し、前後方向後方を矢印Ｃ２で示す。
【００９０】
この作業用ゴンドラ１０Ｃが図１や図１０のそれらと異なるところは、ゴンドラ１０Ｃをビル１１（建造物）の外壁１２（外面）に固定する吸着装置８９（吸着手段）を有する点、移動レール（第２移動レール）を前後方向前方へ付勢するコイルバネがスライドレール３１（第１移動レール）に設置されている点、蛇腹シート５８（カバーシート３０）の前端部分６３のビル１１の外壁１２への当接状態を維持する伸縮棒８６を有する点にある。ゴンドラ１０Ｃのその他の構成は図１のゴンドラ１０Ａや図１０のゴンドラ１０Ｂのそれらと同一であるから、図１や図１０と同一の符号を付すとともに、図１や図１０のゴンドラ１０Ａ，１０Ｂの説明を援用することで、ゴンドラ１０Ｃのその他の構成の詳細な説明は省略する。
【００９１】
作業用ゴンドラ１０Ｃは、図１のそれと同様に、ビル１１（建造物）に対する各種工事を行う場合において、高所作業における安全な足場を確保するために使用される。ゴンドラ１０Ｃは、ビル１１の外側に配置され、昇降装置（吊り具、吊りワイヤーロープ１４、巻上機１５）によってビル１１の屋上から上下方向へ昇降可能に吊り下げられる。ゴンドラ１０Ｃは、前部１６および後部１７と頂部１８および底部１９と両側部２０とを有し、底部１８に設置された床材２１と、床材２１を支持する底フレーム６４と、前部１６に設置されたフロントフレーム２２（前フレーム）と、後部１７に設置されたリアフレーム２３（後フレーム）と、床材２１の上方に位置して幅方向へ延びるフロント手摺２４（前手摺）およびリア手摺２５（後手摺）と、それらフレーム２２，２３，６４や手摺２４，２５に連結された複数本の補強支柱２６とから作られている。床材２１や底フレーム６４、フロントフレーム２２、リアフレーム２３、フロント手摺２４、リア手摺２５、補強支柱２６は、図１のゴンドラ１０Ａのそれらと同一である。
【００９２】
作業用ゴンドラ１０Ｃの後面開口３６全域と頂面開口３７全域と両側開口３８全域とにはネットカバー３９が設置され、それら開口３６〜３８がネットカバー３９によって包被されている。フロント手摺２４には、幅方向へ延びる落下防止プレート４０が設置されている。スライドプレート５５の前端部には、クッション性（柔軟性）を有する所定面積かつ所定厚みの当接部材５７が取り付けられている。ネットカバー３９や落下防止プレート４０、当接部材５７は、図１のゴンドラ１０Ａのそれらと同一である。フロントフレーム２２（上下フロントロッド２７，２８および両側フロントロッド２９）には、蛇腹カバー５８が設置されている。蛇腹カバー５８は、図１０のゴンドラ１０Ｂに設置されたそれと同一である。
【００９３】
底フレーム６４の各角部の下方には、キャスター４１が取り付けられている。ゴンドラ１０Ｃの両側部２０における床材２１には、吊りワイヤーロープ１４がつながる巻上機１５が設置固定され、ゴンドラ１０Ｂの一方の側部２０における床材２１には、ゴンドラ用制御盤４２が載置固定されている。ゴンドラ用制御盤４２にはビル１１の屋上から垂下する電源ケーブル４３が接続され、制御盤４２から電源ケーブル（図示せず）によって各巻上機１５に電力が供給される。リア手摺２５には、ケーブルを介してゴンドラ用制御盤４２につながるペンダントスイッチ４４が設置されている。
【００９４】
作業用ゴンドラ１０Ｃの前部１６には、ビル１１の外壁１２に吸着しつつゴンドラ１０Ｃを外壁１２に連結（固定）する（ゴンドラ１０Ｃを空中で静止させる）吸着装置８９（吸着手段）が設置されている。吸着装置８９は、ゴンドラ１０Ｃの前部１６から前後方向へ延びる２本の第１支持支柱６５（角柱パイプ）と、ゴンドラ１０Ｃの前部１６に設置されて幅方向へ延びる１本の第２支持支柱６６（角柱パイプ）と、第１支持支柱６５の先端部６７（スライドロッド７１の先端部）に取り付けられた２台の真空グリッパー６８と、それら真空グリッパー６８に接続された真空ポンプ６９とから形成されている。なお、真空グリッパー６８の台数に制限はなく、ゴンドラ１０Ｃの大きさ（幅寸法や上下寸法）によってゴンドラ１０Ｃに１台の真空グリッパー６８または３台以上の真空グリッパー６８が設置される場合がある。
【００９５】
第１および第２支持支柱６５，６６は、鋼材や鉄、アルミ、真鍮、合金等の金属から作られている。第１支持支柱６５は、旋回ロッド７０と、旋回ロッド７０から前後方向へスライド可能なスライドロッド７１とから形成されている。第２支持支柱６６は、連結金具（図示せず）によって両側フロントロッド２９の下部（床材２１とフロント手摺２４との間）に着脱可能に連結されている。それら第１支持支柱６５は、旋回ロッド７０の基端部７２が継手７３（ユニバーサルジョイントやボールソケット継手等）によって第２支持支柱６６に着脱可能に設置され、第２支持支柱６６に対して上下方向や幅方向へ旋回可能かつ幅方向へスライド可能に連結されている。
【００９６】
第１支持支柱６５は、旋回ロッド７０を幅方向へスライド（移動）させた後、旋回ロッド７０の基端部７２を継手７３によって第２支持支柱６６に固定することで、第２支持支柱６６に対する幅方向の設置位置を決めることができる。第１支持支柱６５の旋回ロッド７０は、第２支持支柱６６に固定された後であっても継手７３によって第２支持支柱６６に対して上下方向と幅方向とへ旋回する。第１支持支柱６５は、スライドロッド７１を旋回ロッド７０の所定の位置で固定し、スライドロッド７１のスライド（伸縮）を不能にするスライドストッパー（スライド固定機構）（図示せず）を備えている。
【００９７】
第１支持支柱６５では、スライドロッド７１を前後方向前方へスライドさせることで、支持支柱６５を前後方向前方へ伸長させることができ、支持支柱６５の前後方向の長さ寸法を長くすることができる。逆に、スライドロッド７１を前後方向後方へスライドさせることで、第１支持支柱６５を前後方向後方へ縮めることができ、支持支柱６５の前後方向の長さ寸法を短くすることができる。
【００９８】
スライドロッド７１を前後方向前方へスライドさせた後、スライドストッパー（スライド固定機構）によってスライドロッド７１を旋回ロッド７０に固定することで、第１支持支柱６５が前後方向前方へ伸長した状態を維持することができ、スライドロッド７１を前後方向後方へスライドさせた後、スライドストッパー（スライド固定機構）によってスライドロッド７１を旋回ロッド７０に固定することで、支持支柱６５が前後方向後方へ縮んだ状態を維持することができる。スライドロッド７１を利用して第１支持支柱６５を前後方向へ伸縮させることで、支持支柱６５の長さ寸法をスペース１３の距離に応じて調節することができる。
【００９９】
真空グリッパー６８は、アルミから作られた角柱状のグリッパー筐体７４と、柔軟性を有する所定面積かつ所定厚みのシーリングフォーム７５（シーリングスポンジ）または弾性変形可能な複数の真空パッド７６（吸着パッド）とから形成されている。グリッパー筐体７４は、所定面積の四角形の吸着面７７を有する。真空グリッパー６８は、グリッパー筐体７４の後面（後部）が継手７８（ユニバーサルジョイント、ボールソケット継手等）によってスライドロッド７１（第１支持支柱６５）の先端部６７に上下方向や幅方向へ旋回可能に連結されている。
【０１００】
なお、第１支持支柱６５の旋回ロッド７０が第２支持支柱６６に対して上下方向や幅方向へ旋回可能に連結され、真空グリッパー６８のグリッパー筐体７４の後面（後部）がスライドロッド７１（第１支持支柱６５）の先端部（先端部６７）に旋回不能に固定されていてもよい。または、第１支持支柱６５の旋回ロッド７０が第２支持支柱６６に対して上下方向や幅方向へ旋回不能に固定され、真空グリッパー６８のグリッパー筐体７４の後面（後部）がスライドロッド７１（第１支持支柱６５）の先端部（先端部６７）に上下方向や幅方向へ旋回可能に連結されていてもよい。
【０１０１】
真空グリッパー６８としては、グリッパー筐体７４に真空発生装置（図示せず）が内蔵されている内蔵タイプ、または、グリッパー筐体７４に真空発生装置が内蔵されておらず、真空発生装置（真空ポンプまたは真空ブロア）に接続する接続タイプがある。ゴンドラ１０Ｃでは、接続タイプの真空グリッパー６８が使用されており、真空ポンプ６９が床材２１に載置固定されている。接続タイプの真空グリッパー６８では、グリッパー筐体７４の真空発生装置接続口（図示せず）と真空ポンプ６９（または真空ブロア）とが真空ホース９０によって接続される。真空ポンプ６９には、制御盤４２から電源ケーブル（図示せず）によって電力が供給される。接続タイプの真空グリッパー６８（真空ポンプ６９）のＯＮ，ＯＦＦは、ペンダントスイッチ４４によって行われる。
【０１０２】
なお、ゴンドラ１０Ｃでは、内蔵タイプの真空グリッパー６８を使用することもできる。内蔵タイプの真空グリッパー６８では、圧縮空気を給気することで使用可能となる。内蔵タイプの真空グリッパー６８を使用する場合、圧縮空気発生装置（エアーコンプレッサー）が床材２１に載置固定され、グリッパー筐体７４と圧縮空気発生装置（エアーコンプレッサー）とがエアーホース（図示せず）によって接続される。圧縮空気発生装置（エアーコンプレッサー）には、制御盤４２から電源ケーブル（図示せず）によって電力が供給される。内蔵タイプの真空グリッパー６８（圧縮空気発生装置）のＯＮ，ＯＦＦは、ペンダントスイッチ４４によって行われる。
【０１０３】
シーリングフォーム７５は、グリッパー筐体７４の吸着面７７と略同形の四角形に成形され、複数の吸着穴７９を有する。シーリングフォーム７５は、グリッパー筐体７４の吸着面７７に着脱可能に取り付けられている。グリッパー筐体７４の吸着面７７にシーリングフォーム７５が取り付けられた場合、図１７に示すように、真空グリッパー６８には、吸着面７７に存在しつつシーリングフォーム７５の吸着穴７９に対応した複数の吸着口８０が形成される。グリッパー筐体７４の吸着面７７にシーリングフォーム７５が取り付けられた真空グリッパー６８は、真空ポンプ６９を稼働（内蔵タイプでは圧縮空気を圧縮空気発生装置に給気）させると、ポンプ６９（または圧縮空気発生装置）によってそれら吸着口８０が真空状態になり、シーリングフォーム７５（吸着面７７）をビル１１の外壁１２に当接させることで、真空グリッパー６８のそれら吸着口８０が外壁１２に吸い付き、真空グリッパー６８が外壁１２の外面に吸着する。
【０１０４】
外壁１２に平坦面のみならず凹面や凸面があった場合、それら吸着口８０のうちの外壁１２の平坦面に位置する吸着口８０が平坦面に吸い付き、外壁１２の凹面や凸面ではシーリングフォーム７５が伸縮（変形）して外壁１２の凹面や凸面の形状に追従しつつ、凹面や凸面に位置する吸着口８０が凹面や凸面に吸い付く。したがって、シーリングフォーム７５が取り付けられた真空グリッパー６８は、外壁１２に凹面や凸面があったとしても、グリッパー６８が外壁１２の外面にしっかりと吸着する。真空グリッパー６８が外壁１２の外面に吸着することで、作業用ゴンドラ１０Ｃが吸着装置８９を介してビル１１の外壁１２に連結固定される。
【０１０５】
シーリングフォーム７５が取り付けられた真空グリッパー６８において、継手７３によって第１支持支柱６５の旋回ロッド７０が第２支持支柱６６に対して上下方向や幅方向へ旋回可能であり、継手７５によってグリッパー筐体７４がスライドロッド７１（第１支持支柱６５）の先端部６７に対して上下方向や幅方向へ旋回可能である場合（第１支持支柱６５の旋回ロッド７０が第２支持支柱６６に対して上下方向や幅方向へ旋回可能に連結され、グリッパー筐体７４がスライドロッド７１（第１支持支柱６５）の先端部（先端部６７）に旋回不能に固定されている場合、または、第１支持支柱６５の旋回ロッド７０が第２支持支柱６６に対して上下方向や幅方向へ旋回不能に固定され、真空グリッパー６８のグリッパー筐体７４の後面（後部）がスライドロッド７１（第１支持支柱６５）の先端部（先端部６７）に上下方向や幅方向へ旋回可能に連結されている場合を含む。）、空中に吊り下げられた作業用ゴンドラ１０Ｃが風の影響や作業の影響によって揺れ動いた（揺動した）としても、その揺れが継手７３や継手７５によって吸収されるから、揺れが真空グリッパー６８に直接作用することがなく、揺れがグリッパー６８に直接作用することによるグリッパー６８の吸着口８０（シーリングフォーム７５の吸着穴７９）のビル１１の外壁１２からの不用意な剥離を防ぐことができる。
【０１０６】
シーリングフォーム７５が取り付けられた真空グリッパー６８において、グリッパー６８を外壁１２に吸着させた後、第１支持支柱６５の旋回ロッド７０を固定金具（図示せず）によって第２支持支柱６６に旋回不能に固定し、旋回ロッド７０を旋回不能な固定ロッドとし、グリッパー筐体７４を固定金具（図示せず）によってスライドロッド７１（第１支持支柱６５）の先端部（先端部６７）に旋回不能に固定する場合がある。この場合、真空グリッパー６８の吸着力（吸引力）を強くしてグリッパー６８の吸着口８０（シーリングフォーム７５の吸着穴７９）をビル１１の外壁１２に強力に吸着させることにより、作業用ゴンドラ１０Ｃが吸着装置８９によって外壁１２に搖動不能に連結されるから、風の影響や作業の影響があったとしても、ゴンドラ１０Ｃが揺れ動くことはなく、ゴンドラ１０Ｃの空中における静止状態が保持される。
【０１０７】
それら真空パッド７６は、ゴム素材から作られ、グリッパー筐体７４の吸着面７７に対して前後左右に伸縮（弾性変形）する。真空パッド７６は、グリッパー筐体７４の吸着面７７に着脱可能に取り付けられている。グリッパー筐体７４の吸着面７７に複数の真空パッド７６が設置された場合、図１９に示すように、真空グリッパー６８には、それら真空パッド７６によって吸着面７７に存在する複数の吸着口８０が形成される。グリッパー筐体７４の吸着面７７に複数の真空パッド７６が取り付けられた真空グリッパー６８は、真空ポンプ６９を稼働（内蔵タイプでは圧縮空気を圧縮空気発生装置に給気）させると、ポンプ６９（または圧縮空気発生装置）によってそれら真空パッド７６が真空状態になり、真空パッド７６（吸着面７７）をビル１１の外壁１２に当接させることで、それら真空パッド７６（吸着口８０）が外壁１２に吸い付き、真空グリッパー７６が外壁１２の外面に吸着する。
【０１０８】
外壁１２に平坦面のみならず凹面や凸面があった場合、それら真空パッド７６のうちの外壁１２の平坦面に位置する真空パッド７６が平坦面に吸い付き、外壁１２の凹面や凸面ではそれら真空パッド７６が前後左右に伸縮（弾性変形）して外壁１２の凹面や凸面の形状に追従しつつ、凹面や凸面に位置する真空パッド７６が凹面や凸面に吸い付く。したがって、複数の真空パッド７６が取り付けられた真空グリッパー６８は、外壁１２に凹面や凸面があったとしても、それが外壁１２の外面にしっかりと吸着する。真空グリッパー６８（複数の真空パッド７６）が外壁１２の外面に吸着することで、作業用ゴンドラ１０Ｃが吸着装置８９を介してビル１１の外壁１２に連結固定される。
【０１０９】
真空パッド７６が取り付けられた真空グリッパー６８は、継手７３によって第１支持支柱６５の旋回ロッド７０が第２支持支柱６６に対して上下方向や幅方向へ旋回可能であり、継手７８によってグリッパー筐体７４がスライドロッド７１（第１支持支柱６５）の先端部（先端部６７）に対して上下方向や幅方向へ旋回可能である場合（第１支持支柱６５の旋回ロッド７０が第２支持支柱６６に対して上下方向や幅方向へ旋回可能に連結され、グリッパー筐体７４がスライドロッド７１（第１支持支柱６５）の先端部（先端部６７）に旋回不能に固定されている場合、または、第１支持支柱６５の旋回ロッド７０が第２支持支柱６６に対して上下方向や幅方向へ旋回不能に固定され、真空グリッパー６８のグリッパー筐体７４の後面（後部）がスライドロッド７１（第１支持支柱６５）の先端部（先端部６７）に上下方向や幅方向へ旋回可能に連結されている場合を含む。）、空中に吊り下げられた作業用ゴンドラ１０Ｃが風の影響や作業の影響によって揺れ動いた（揺動した）としても、その揺れが継手７３や継手７８によって吸収されるから、揺れが真空グリッパー６８に直接作用することがなく、揺れが真空グリッパー６８に直接作用することによるグリッパー６８の吸着口８０（真空パッド７６）のビル１１の外壁１２からの不用意な剥離を防ぐことができる。
【０１１０】
真空パッド７６が取り付けられた真空グリッパー６８において、グリッパー６８を外壁１２に吸着させた後、第１支持支柱６５の旋回ロッド７０を固定金具（図示せず）によって第２支持支柱６６に旋回不能に固定し、旋回ロッド７０を旋回不能な固定ロッドとし、グリッパー筐体７４を固定金具（図示せず）によってスライドロッド７１（第１支持支柱６５）の先端部６７に旋回不能に固定する場合がある。この場合、真空グリッパー６８の吸着力（吸引力）を強くしてグリッパー６８の吸着口８０（真空パッド７６）をビル１１の外壁１２に強力に吸着させることにより、作業用ゴンドラ１０Ｃが吸着装置８９によってビル１１の外壁１２に搖動不能に連結されるから、風の影響や作業の影響があったとしても、ゴンドラ１０Ｃが揺れ動くことはなく、作業用ゴンドラ１０Ｃの空中における静止状態が保持される。
【０１１１】
両側フロントロッド２９の上部および下部には、前後方向へ延びるスライドレール３１が設置されている。スライドレール３１は、両側フロントロッド２９の上部および下部と両側リアロッド３４の上部および下部とに固定金具（図示せず）によって設置固定された固定レール５１と、固定レール５１から前後方向へスライド可能な第１移動レール５２ａと、第１移動レール５２ａから前後方向へスライド可能な第２移動レール５２ｂとから形成されている。
【０１１２】
第１および第２移動レール５２ａ，５２ｂは、蛇腹シート６０の伸縮部６２に取り付けられたランナーリング４７に挿通され、第２移動レール５２ｂの先端部が蛇腹シート６０の前端部分６３に固定金具（図示せず）によって固定されている。スライドレール３１は、第１および第２移動レール５２ａ，５２ｂの伸長状態において第１移動レール５２ａを固定レール５１の所定の位置で固定し、第１移動レール５２ａのスライド（伸縮）を不能にするとともに、第１および第２移動レール５２ａ，５２ｂの縮んだ状態において第１および第２移動レール５２ａ，５２ｂを固定レール５１の所定の位置で固定し、第１および第２移動レール５２ａ，５２ｂのスライド（伸縮）を不能にするスライドストッパー（スライド固定機構）（図示せず）を備えている。
【０１１３】
第１移動レール５２ａの先端部には、第１移動レール５２ａを前後方向へスライドさせる把持可能な取っ手５３ａが取り付けられているとともに、前後方向へ延びるコイルバネ８１が取り付けられている。コイルバネ８１は、その後端部８２が第１移動レール５２ａの先端部に設置されたバネ受け板８３に固定され、バネ受け板８３から前後方向前方へ延びている。第２移動レール５２ｂの先端部には、第２移動レール５２ｂを前後方向へスライドさせる把持可能な取っ手５３ｂが取り付けられているとともに、コイルバネ８１の前端部８４が当接するバネ当接板８５が設置されている。
【０１１４】
スライドレール３１では、第１移動レール５２ａの取っ手５３ａを把持して第１移動レール５２ａを前後方向前方へスライドさせると、コイルバネ８１の前端部８４が第２移動レール５２ｂの先端部に設置されたバネ当接板８５に当接し、コイルバネ８１に押圧されて第２移動レール５２ｂが前方へスライドし、図１５に示すように、蛇腹カバー５８（蛇腹シート６０）を前方へ伸長させることができ、蛇腹カバー５８の前後方向の長さ寸法を長くすることができる。逆に、第２移動レール５２ｂの取っ手５３ｂを把持して第２移動レール５２ｂを前後方向後方へスライドさせることで、図１４に示すように、蛇腹カバー５８（蛇腹シート６０）を後方へ縮めることができ、蛇腹カバー５８の前後方向の長さ寸法を短くすることができる。
【０１１５】
第１および第２移動レール５２ａ，５２ｂを前後方向前方へスライドさせた後、スライドストッパー（スライド固定機構）によって第１移動レール５２ａを固定レール５１に固定することで、蛇腹カバー５８（蛇腹シート６０）の伸縮部６２の前後方向前方へ伸長した状態を維持することができる。このとき、コイルバネ８１によって第２移動レール５２ｂが前後方向前方へ押圧（付勢）される。第１および第２移動レール５２ａ，５２ｂを前後方向後方へスライドさせた後、スライドストッパー（スライド固定機構）によって第１および第２移動レール５２ａ，５２ｂを固定レール５１に固定することで、蛇腹カバー５８（蛇腹シート６０）の伸縮部６２の前後方向後方へ縮んだ状態を維持することができる。第１および第２移動レール５２ａ，５２ｂを利用して蛇腹カバー５８（蛇腹シート６０）を前後方向へ伸縮させることで、蛇腹カバー５８の長さ寸法をスペース１３の前後方向の距離に応じて調節することができる。
【０１１６】
伸縮棒８６には、突っ張り棒が利用されているが、突っ張り棒の他に、アウターロッドとアウターロッドに伸縮可能に収容されたインナーロッドとから形成され、インナーロッドがアウターロッドに収容されたコイルバネによって前後方向前方へ付勢された伸縮棒８６を利用することができる。伸縮棒８６は、上フロントロッド２７と両側フロントロッド２９とが交差する第１角部と両側フロントロッド２９の上下方向中央部とに着脱可能に配置され、第１角部と中央部とから前後方向へ延びている。なお、伸縮棒８６が下フロントロッド２８と両側フロントロッド２９とが交差する第２角部に着脱可能に配置され、第２角部から前後方向へ延びていてもよい。
【０１１７】
それら伸縮棒８６は、その基端部８７が上リアロッド３２と両側リアロッド３３とに固定金具（図示せず）によって設置固定されている。伸縮棒８６は、それを前後方向前方へ伸長させたときに、図１５に示すように、その先端部８８が蛇腹シート６０の伸縮部６２の伸長時における前端部分６３に当接し、伸縮部６２の伸長時における前端部分６３のビル１１の外壁１２への当接状態を維持する。
【０１１８】
図２０は、ビル１１の外壁１２に連結される前の作業用ゴンドラ１０Ｃの側面図であり、図２１は、ビル１１の外壁１２に連結された後の作業用ゴンドラ１０Ｃの側面図である。図２０は、真空グリッパー６８を外壁１２に吸着させる以前の状態を示し、図２１は、真空グリッパー６８を外壁１２に吸着させた後の状態を示す。図２０，２１では、真空ホース９０の図示を省略している。作業用ゴンドラ１０Ｃを使用してビル１１の外壁１２に対する各種工事を行う手順の一例は、以下のとおりである。なお、第２支持支柱６６が固定金具によって既に両側フロントロッド２９に固定されているものとする。
【０１１９】
作業用ゴンドラ１０Ｃをビル１１の外壁１２の工事箇所まで上昇させた後、ペンダントスイッチ４４の停止ボタンを押してゴンドラ１０Ｃを停止させる。次に、第１支持支柱６５の旋回ロッド７０を第２支持支柱６６の幅方向へ移動させて第２支持支柱６６に対する第１支持支柱６５の位置を決めた後、第１支持支柱６５の旋回ロッド７０を第２支持支柱６６に固定する。第１支持支柱６５の旋回ロッド７０を第２支持支柱６６に固定した後、真空グリッパー６８の吸着口８０（シーリングフォーム７５または真空パッド７６）がビル１１の外壁１２に当接するまで、スライドロッド７１を旋回ロッド７０から前後方向前方へスライドさせて第１支持支柱６５を伸長させる。真空グリッパー６８の吸着口８０（シーリングフォーム７５または真空パッド７６）を外壁１２に当接させた位置でスライドストッパー（スライド固定機構）によってスライドロッド７１を旋回ロッド７０に固定し、第１支持支柱６５の長さ寸法をスペース１３の前後方向の距離に合わせる。
【０１２０】
第１支持支柱６５の長さ寸法をスペース１３の距離に合わせた後、ペンダントスイッチ４４の吸着開始ボタンを押す（吸着ＯＮ）。吸着開始ボタンを押すと、真空ポンプ６９が起動（内蔵タイプでは圧縮空気を圧縮空気発生装置に給気）し、ポンプ６９（または圧縮空気発生装置）によって真空グリッパー６８の吸着口８０（シーリングフォーム７５の吸着穴７９または真空パッド７６）が真空状態になり、グリッパー６８の吸着面７７がビル１１の外壁１２に吸着し、吸着装置８９によってゴンドラ１０Ｃが外壁１２に連結（固定）される。
【０１２１】
なお、吸着装置８９によってゴンドラ１０Ｃがビル１１の外壁１２に連結固定された後、または、吸着装置８９によってゴンドラ１０Ｃが外壁１２に連結固定される前に、第１支持支柱６５を第２支持支柱６６に旋回不能に固定し、真空グリッパー６８のグリッパー筐体７４をスライドロッド７１に旋回不能に固定する場合がある。吸着装置８９によってゴンドラ１０Ｃがビル１１の外壁１２に連結固定される前に第１支持支柱６５を第２支持支柱６６に固定し、真空グリッパー６８のグリッパー筐体７４をスライドロッド７１に固定する場合は、外壁１２が垂直な垂直面である場合、または、外壁１２が傾斜した傾斜面である場合、継手７３を利用して第２支持支柱６６に対して第１支持支柱６５（旋回ロッド７０）を旋回させるとともに、継手７８を利用してグリッパー筐体７４をスライドロッド７１に対して旋回させ、真空グリッパー６８の吸着面７７を外壁１２の垂直面や傾斜面に平行させた後、第１支持支柱６５を第２支持支柱６６に旋回不能に固定し、グリッパー筐体７４をスライドロッド７１に旋回不能に固定する。
【０１２２】
グリッパー筐体７４がスライドロッド７１の先端部に旋回不能に固定されている場合は、継手７３を利用して第２支持支柱６６に対して第１支持支柱６５を旋回させ、真空グリッパー６８の吸着面７７をビル１１の外壁１２の垂直面や傾斜面に平行させた後、第１支持支柱６５を第２支持支柱６６に旋回不能に固定する。また、第１支持支柱６５が第２支持支柱６６に旋回不能に固定されている場合は、継手７８を利用してスライドロッド７１に対してグリッパー筐体６８を旋回させ、真空グリッパー６８の吸着面７７をビル１１の外壁１２の垂直面や傾斜面に平行させた後、グリッパー筐体６８をスライドロッド７１に旋回不能に固定する。
【０１２３】
吸着装置８９によってゴンドラ１０Ｃがビル１１の外壁１２に連結固定された後、または、吸着装置８９によってゴンドラ１０Ｃが外壁１２に連結固定される前に、第１支持支柱６５を第２支持支柱６６に旋回不能に固定せず、継手７３によって第２支持支柱６６に対して第１支持支柱６５（旋回ロッド７０）を旋回可能にし、継手７８によって真空グリッパー６８のグリッパー筐体７４をスライドロッド７１に対して旋回可能にする場合がある。この場合、外壁１２が垂直な垂直面である場合、または、外壁１２が傾斜した傾斜面である場合、継手７３によって第１支持支柱６５が第２支持支柱６６に対して旋回するとともに、継手７８によってグリッパー筐体７４がスライドロッド７１に対して旋回することで、真空グリッパー６８の吸着面７７の外壁１２の垂直面や傾斜面に対する平行状態が保持される。
【０１２４】
グリッパー筐体７４がスライドロッド７１の先端部に旋回不能に固定されている場合は、継手７３によって第１支持支柱６５が第２支持支柱６６に対して旋回することで、真空グリッパー６８の吸着面７７の外壁１２の垂直面や傾斜面に対する平行状態が保持される。また、第１支持支柱６５が第２支持支柱６６に旋回不能に固定されている場合は、継手７８によってグリッパー筐体７４がスライドロッド７１に対して旋回することで、真空グリッパー６８の吸着面７７の外壁１２の垂直面や傾斜面に対する平行状態が保持される。
【０１２５】
次に、落下防止プレート４０の旋回プレート５４を把持してプレート４０を垂下状態から上方へ旋回させ、プレート４０を上り勾配の所定の角度（垂下状態から上り傾斜角度１８０°の範囲）に傾斜させた後、旋回ストッパー（旋回（傾斜）固定機構）によって旋回プレート５４の旋回を不能にし（固定し）、プレート４０の上り勾配の傾斜状態を維持する。落下防止プレート４０を所定角度の上り勾配に傾斜させた後、スライドプレート５５をゴンドラ１０Ｃからビル１１の外壁１２に向かって前後方向前方へスライドさせ、プレート４０を前後方向前方へ伸長させ、当接部材５７がビル１１の外壁１２に当接した後、スライドストッパー（スライド固定機構）によってスライドプレート５５を旋回プレート５４に固定する。スライドプレート５５の前端部に取り付けられた当接部材５７が外壁１２に面接触し、ゴンドラ１０Ｃのフロントフレーム２２と外壁１２との間のスペース１３が落下防止プレート４０によって塞がれる。
【０１２６】
第１移動レール５２ａの取っ手５３ａを把持して第１移動レール５２ａを前後方向前方へスライドさせ、それによってコイルバネ８１に押圧された第２移動レール５２ｂを前方へスライドさせ、蛇腹シート６０の伸縮部６２を前後方向前方へ伸長させ、当接部材５０がビル１１の外壁１２に当接した後、スライドストッパー（スライド固定機構）によって第１移動レール５２ａを固定レール５１に固定する。さらに、それら伸縮棒８６を前後方向前方へ伸長させ、その先端部８８を蛇腹シート６０の伸縮部６２の前端部分６３（ビル１１の外壁１２）に当接させ、伸縮棒８６によって蛇腹シート６０の伸縮部６２の前端部分６３の外壁１２への当接状態を維持する。
【０１２７】
第２移動レール５２ｂがコイルバネ８１によって前後方向前方へ付勢（押圧）され、それによって蛇腹シート６０の伸縮部６２の前端部分６３をビル１１の外壁１２に密着させることができるから、蛇腹シート６０の伸縮部６２の前端部分６３と外壁１２との間に隙間が生じることはない。蛇腹シート６０の伸縮部６２の前端部分６３に取り付けられた当接部材５７がビル１１の外壁１２に面接触し、ゴンドラ１０Ｃのフロントフレーム２２と外壁１２との間のスペース１３が蛇腹シート６０の伸縮部６２によって囲まれ、スペース１３が蛇腹シート６０の伸縮部６２によって塞がれる。また、伸縮棒８６によって蛇腹シート６０の伸縮部６２の前端部分６３の外壁１２への当接状態を維持することができるから、蛇腹シート６０の伸縮部６２の前端部分６３と外壁１２との間に隙間が生じることはない。
【０１２８】
真空グリッパー６８でゴンドラ１０Ｃとビル１１の外壁１２とを連結固定し、落下防止プレート４０の前端部（当接部材５７）を外壁１２に当接させ、蛇腹シート６０の伸縮部６２の前端部分６３（当接部材５０）を外壁１２に当接させるとともに、伸縮棒８６の先端部８８を蛇腹シート６０の伸縮部６２の前端部分６３（外壁１２）に当接させた状態で、作業者がゴンドラ１０Ｃの前部１６（前面開口３５）からビル１１の外壁１２とゴンドラ１０Ｃとの間のスペース１３に手を伸ばし、作業者が各種の電動工具や手動工具等を使用して外壁１２に対する各種工事を行う。
【０１２９】
作業用ゴンドラ１０Ｃは、ビル１１（建造物）の外壁１２（外面）に吸着する真空グリッパー６８によってゴンドラ１０Ｃが外壁１２に連結固定されるから、風や作業の影響でゴンドラ１０Ｃが揺れ動く（揺動する）ことはなく、空中においてゴンドラ１０Ｃが静止し、空中におけるゴンドラ１０Ｃの姿勢が安定する。ゴンドラ１０Ｃは、固形廃棄物が落下防止プレート４０の上に落下し、廃棄物が上り勾配に傾斜したプレート４０を伝ってゴンドラ１０Ｃ内（床材２１）に落下するから、廃棄物がゴンドラ１０Ｃ内に収容される。また、廃棄物が落下防止プレート４０からスペース１３に向かって飛散または落下したとしても、フロントフレーム２２の内側のスペース１３が蛇腹カバー５８（蛇腹シート６０）に囲まれ、そのスペース１３が蛇腹カバー５８によって塞がれているから、落下防止プレート４０から飛散または落下した廃棄物が蛇腹カバー５８（下フロントロッド２８に取り付けられた蛇腹シート６０）に捕集される。
【０１３０】
ビル１１の外壁１２の工事箇所における工事が完了した後、ペンダントスイッチ４４の吸着停止ボタンを押す（吸着ＯＦＦ）。吸着停止ボタンを押すと、真空ポンプ６９が停止（内蔵タイプでは圧縮空気の圧縮空気発生装置への給気が停止）し、外壁１２に対する真空グリッパー６８の吸着面７７（シーリングフォーム７５または真空パッド７６）の吸着が解除される。旋回ロッド７０に対するスライドロッド７１の固定を解除し、スライドロッド７１を旋回ロッド７０の前後方向後方へスライドさせて第１支持支柱６５を縮めた後、スライドストッパー（スライド固定機構）によってスライドロッド７１を旋回ロッド７０に固定する。伸縮棒８６を前後方向後方へ縮めてその先端部８８を蛇腹シート６０の伸縮部６２の前端部分６３（外壁１２）から後方へ離間させる。
【０１３１】
次に、スライドストッパーを解除して固定レール５１に対する第１移動レール５２ａの固定を解除し、第２移動レール５２ｂの取っ手５３ｂを把持して第１および第２移動レール５２ａ，５２ｂを前後方向後方へスライドさせ、蛇腹シート６０の伸縮部６２を前後方向後方へ縮める。蛇腹シート６０の伸縮部６２を前後方向後方へ縮めると、下フロントロッド２８に取り付けられた蛇腹シート６０が地上に向かって垂下し、その部分の蛇腹シート６０が廃棄物収容袋を形成し、蛇腹シート６０によって形成された廃棄物収容袋に固形廃棄物が収容される。なお、工事が完了した後、蛇腹シート６０の伸縮部６２を前後方向後方へ縮める前に、蛇腹シート６０に捕集された廃棄物をゴンドラ１０Ｃの床材２１に回収してもよい。
【０１３２】
蛇腹シート６０の伸縮部６２を前後方向後方へ縮めた後、スライドストッパーによって第１および第２移動レール５２ａ，５２ｂを固定レール５１に固定し、蛇腹シート６０の伸縮部６２を縮めた状態を維持する。次に、スライドストッパーを解除して旋回プレート５４に対するスライドプレート５５の固定を解除し、スライドプレート５５を前後方向後方へスライドさせ、落下防止プレート４０を前後方向後方へ縮める。落下防止プレート４０を前後方向後方へ縮めた後、スライドストッパーによってスライドプレート５５を旋回プレート５４に固定し、落下防止プレート４０を縮めた状態を維持する。次に、旋回ストッパー（旋回（傾斜）固定機構）を解除し、落下防止プレート４０を上り勾配から下方へ旋回させて垂下状態にする。ペンダントスイッチ４４の下降ボタンを押し、ゴンドラ１０Ｃを地上に降ろした後、蛇腹シート６０によって形成された廃棄物収容袋に収容された固形廃棄物やゴンドラ１０Ｃ内（床材２１）に収容した固形廃棄物を廃棄処分する。廃棄物を廃棄処分した後、ペンダントスイッチ４４の上昇ボタンを押してゴンドラ１０Ｃを次の工事箇所まで上昇させ、その工事箇所において作業を行う。
【０１３３】
作業用ゴンドラ１０Ｃは、図１および図１０の作業用ゴンドラ１０Ａ，１０Ｂが有する効果に加え、以下の効果を有する。作業用ゴンドラ１０Ｃは、ビル１１（建造物）の外壁１２（外面）に吸着する真空グリッパー６８によってゴンドラ１０Ｃがビル１１の外壁１２に連結固定されるから、ゴンドラ１０Ｃが揺れ動く（揺動する）ことはなく、空中においてゴンドラ１０Ｃを静止させることができ、空中におけるゴンドラ１０Ｃの姿勢を安定させることができる。
【０１３４】
作業用ゴンドラ１０Ｃは、吸着装置８９によってそれを静止させた状態で作業者が所定の作業を行うことができるから、作業を正確かつ確実に行うことができる。ゴンドラ１０Ｃは、それを使用した作業（工事）に危険が伴わず、作業を安全に進めることができるとともに、ゴンドラ１０Ｃの揺れ動き（揺動）をその都度静止させる必要や作業者がゴンドラ１０Ｃの静止状態を維持する操作を行う必要はなく、工事を迅速かつ効率的に進めることができる。
【０１３５】
作業用ゴンドラ１０Ｃは、真空ポンプ６９（内蔵タイプでは圧縮空気発生装置）によって真空グリッパー６８の吸着口８０（シーリングフォーム７５の吸着穴７９または真空パッド７６）が真空状態になるから、真空グリッパー６８が強い吸着力を発揮し、真空グリッパー６８によってゴンドラ１０Ｃをビル１１の外壁１２に確実に固定することができる。
【０１３６】
作業用ゴンドラ１０Ｃは、複数の吸着穴７９を有するとともに柔軟性を有する所定面積かつ所定厚みのシーリングフォーム７５が真空グリッパー６８の吸着面７７に設置されている場合、ビル１１の外壁１２に凹凸面であったとしても、所定面積かつ所定厚みの柔軟なシーリングフォーム７５がその凹凸面に追従してその厚みが変化（弾性変形）するとともに、凹凸面に複数の吸着穴７９が吸着するから、真空グリッパー６８が外壁１２の凹凸面に確実に吸着し、ゴンドラ１０Ｃを外壁１２の凹凸面に確実に連結固定することができる。
【０１３７】
作業用ゴンドラ１０Ｃは、弾性変形可能な複数の真空パッド７６が真空グリッパー６８の吸着面７７に設置されている場合、ビル１１の外壁１２に凹凸面であったとしても、複数の真空パッド７６がその凹凸面に追従して弾性変形し、凹凸面に複数の真空パッド７６が吸着するから、真空グリッパー６８が外壁１２の凹凸面に確実に吸着し、ゴンドラ１０Ｃを外壁１２の凹凸面に確実に連結固定することができる。
【０１３８】
それらゴンドラ１０Ａ〜１０Ｃでは、カバーシート３０または蛇腹カバー５８がゴンドラ１０Ａ〜１０Ｃの頂部１８、中央部、両側部２０に設置されていてもよい。この場合、フロントフレーム２２の下フロントロッド２８（下ロッド）は、ゴンドラ１０Ａ〜１０Ｃの中央部に位置して幅方向へ延びる。また、それらゴンドラ１０Ａ〜１０Ｃでは、カバーシート３０または蛇腹カバー５８がゴンドラ１０Ａ〜１０Ｃの頂部１８に設置されておらず、ゴンドラ１０Ａ〜１０Ｃの底部１９または中央部、両側部２０のみに設置されていてもよい。この場合、フロントフレーム２２は、ゴンドラ１０Ａ〜１０Ｃの底部１９または中央部に位置して幅方向へ延びる下フロントロッド２８（下ロッド）と、ゴンドラ１０Ａ〜１０Ｃの両側部２０に位置して上下方向へ延びる両側フロントロッド２９（両側ロッド）とから形成される。
【符号の説明】
【０１３９】
１０Ａ  作業用ゴンドラ
１０Ｂ  作業用ゴンドラ
１０Ｃ  作業用ゴンドラ
１１    ビル（建造物）
１２    外壁（外面）
１３    スペース
１４    吊りワイヤーロープ
１５    巻上機
１６    前部
１７    後部
１８    頂部
１９    底部
２０    両側部
２１    床材
２２    フロントフレーム
２３    リアフレーム
２４    フロント手摺
２５    リア手摺
２６    補強支柱
２７    上フロントロッド（上ロッド）
２８    下フロントロッド（下ロッド）
２９    両側フロントロッド（両側ロッド）
３０    カバーシート
３１    スライドレール
３２    上リアロッド
３３    下リアロッド
３４    両側リアロッド
３５    前面開口
３６    後面開口
３７    頂面開口
３８    両側開口
３９    ネットカバー
４０    落下防止プレート
４１    キャスター
４２    ゴンドラ用制御盤
４３    電源ケーブル
４４    ペンダントスイッチ
４５    固定部
４６    伸縮部
４７    ランナーリング
４８    前端部分
４９    当接フレーム
５０    当接部材
５１    固定レール
５２    移動レール
５２ａ  第１移動レール
５２ｂ  第２移動レール
５３    取っ手
５３ａ  取っ手
５３ｂ  取っ手
５４    旋回プレート
５５    スライドプレート
５６    スライドレール
５７    当接部材
５８    蛇腹カバー
５９    蛇腹枠
６０    蛇腹シート
６１    固定部
６２    伸縮部
６３    前端部分
６４    底フレーム
６５    第１支持支柱
６６    第２支持支柱
６７    先端部
６８    真空グリッパー
６９    真空ポンプ
７０    旋回ロッド
７１    スライドロッド
７２    基端部
７３    継手
７４    グリッパー筐体
７５    シーリングフォーム
７６    真空パッド
７７    吸着面
７８    継手
７９    吸着穴
８０    吸着口
８１    コイルバネ
８２    後端部
８３    バネ受け板
８４    前端部
８５    バネ当接板
８６    伸縮棒
８７    基端部
８８    先端部
８９    吸着装置
９０    真空ホース
【図１】
2016211185.tif 000003
【図２】
2016211185.tif 000004
【図３】
2016211185.tif 000005
【図４】
2016211185.tif 000006
【図５】
2016211185.tif 000007
【図６】
2016211185.tif 000008
【図７】
2016211185.tif 000009
【図８】
2016211185.tif 000010
【図９】
2016211185.tif 000011
【図１０】
2016211185.tif 000012
【図１１】
2016211185.tif 000013
【図１２】
2016211185.tif 000014
【図１３】
2016211185.tif 000015
【図１４】
2016211185.tif 000016
【図１５】
2016211185.tif 000017
【図１６】
2016211185.tif 000018
【図１７】
2016211185.tif 000019
【図１８】
2016211185.tif 000020
【図１９】
2016211185.tif 000021
【図２０】
2016211185.tif 000022
【図２１】
2016211185.tif 000023